(57)【要約】【課題】状況に応じて適切なモードを実行できる情報記録装置を提供する。【解決手段】情報記録装置１０は、情報を取得して記録する記録モードと記録されている情報を再生可能とする再生モードとの機能を有し、通信によって外部機器２０から操作情報を取得し、前記操作情報に基づいて動作する連携動作が可能な情報記録装置であって、外部機器２０との間で通信を行う通信部１６と、前記通信により前記連携動作で起動する時に実行されるモードとして、前記再生モードを選択するモード制御部１１ａとを備える。【選択図】      図１Ａ
2018191209.tif 000002
【特許請求の範囲】
【請求項１】
情報を取得して記録する記録モードと記録されている情報を再生可能とする再生モードとの機能を有し、通信によって外部機器から操作情報を取得し、前記操作情報に基づいて動作する連携動作が可能な情報記録装置であって、
前記外部機器との間で通信を行う通信部と、
前記通信により前記連携動作で起動する時に実行されるモードとして、前記再生モードを選択するモード制御部と
を備える、情報記録装置。
【請求項２】
前記情報をユーザに提示する情報提示部と、
ユーザ操作を取得する操作部と、
前記連携動作で起動して再生モードのときには、前記情報提示部及び前記操作部の有する機能の一部を無効化する機能制限部と
をさらに備える、請求項１に記載の情報記録装置。
【請求項３】
前記情報をユーザに提示する情報提示部と、
ユーザ操作を取得する操作部と、
前記情報記録装置の状態に係る情報を状態情報として取得する状態取得部と、
前記連携動作で起動して再生モードのときには、前記状態情報に基づいて前記情報提示部及び前記操作部の有する機能の一部を無効化するか否かの判定を行い、前記判定の結果に基づいて前記機能の一部を無効化する機能制限部と
をさらに備える、請求項１に記載の情報記録装置。
【請求項４】
前記情報を取得する情報取得部と、
ユーザ操作を取得する操作部と、
前記情報記録装置の状態に係る情報を状態情報として取得する状態取得部と、
前記連携動作で起動した後の前記記録モードのときには、前記状態情報に基づいて前記情報取得部及び前記操作部の有する機能の一部を無効化するか否かの判定を行い、前記判定の結果に基づいて前記機能の一部を無効化する機能制限部と
をさらに備える、
請求項１に記載の情報記録装置。
【請求項５】
前記機能制限部は、前記無効化された機能の少なくとも一部を前記外部機器に行わせるための制御信号を生成し、
前記通信部は、前記制御信号を前記外部機器へ送信する、
請求項２乃至４のうち何れか１項に記載の情報記録装置。
【請求項６】
前記機能制限部は、前記情報記録装置の備える各部に供給する供給電力について制御する電源制御部を備え、
前記電源制御部は、前記供給電力の制御によって前記機能の一部を無効化する、
請求項２乃至４のうち何れか１項に記載の情報記録装置。
【請求項７】
撮像して画像を取得する撮像部をさらに備え、
前記状態取得部は、前記画像に基づいて前記情報記録装置の配置されている環境の明るさを前記状態情報として取得し、
前記機能制限部は、前記明るさが所定の閾値未満である場合に前記判定において前記機能の一部を無効化すると判定する、
請求項３又は４に記載の情報記録装置。
【請求項８】
撮像して画像を取得する撮像部と、
照明光を放射する照明部と
をさらに備え、
前記状態取得部は、前記画像に基づいて前記情報記録装置の配置されている環境の明るさを前記状態情報として取得し、
前記明るさが所定の閾値未満である場合には、
前記照明部は、前記照明光を放射し、
前記状態取得部は、前記照明光が放射されている間に取得された前記画像に基づいて前記照明光が放射されている間の前記明るさを前記状態情報としてさらに取得し、
前記機能制限部は、前記照明光が放射されている間の前記明るさが所定の閾値以上である場合に前記判定において前記機能の一部を無効化すると判定する、
請求項３又は４に記載の情報記録装置。
【請求項９】
位置又は形状が変化可能に構成されている変位部をさらに備え、
前記状態取得部は、前記変位部を動作させ、前記変位部が動作する際に受ける負荷の大きさを前記状態情報として取得し、
前記機能制限部は、前記負荷の大きさが所定の閾値以上である場合に前記判定において前記機能の一部を無効化すると判定する、
請求項３又は４に記載の情報記録装置。
【請求項１０】
前記機能制限部は、前記無効化された機能に係る前記外部機器におけるユーザ操作を無効化するための制御信号を生成し、
前記通信部は、前記制御信号を前記外部機器へ送信する、
請求項２乃至４のうち何れか１項に記載の情報記録装置。
【請求項１１】
前記機能制限部は、前記無効化が実行されていることを、前記外部機器を用いてユーザへ警告させるための制御信号を生成する通知制御部を備え、
前記通信部は、前記警告に係る制御信号を前記外部機器へ送信する、
請求項２乃至１０のうち何れか１項に記載の情報記録装置。
【請求項１２】
請求項１乃至１１のうち何れか１項に記載の情報記録装置と、
前記外部機器と
を備える、情報記録システム。
【請求項１３】
情報を取得して記録する記録モードと記録されている情報を再生可能とする再生モードとの機能を有し、通信によって外部機器から操作情報を取得し、前記操作情報に基づいて動作する連携動作が可能な情報記録装置の制御方法であって、
前記外部機器との間で通信を行うことと、
前記通信により前記連携動作で起動する時に実行されるモードとして、前記再生モードを選択することと
を含む、情報記録装置の制御方法。  
【発明の詳細な説明】
【技術分野】
【０００１】
本発明は、情報記録装置、情報記録システム及び情報記録装置の制御方法に関する。
【背景技術】
【０００２】
ユーザは、カメラやＩＣレコーダ、あるいは観察装置、検査装置といった情報取得装置又は情報記録装置を用いて、例えば画像、動画、音声等の情報を取得して確認したり、センシングしたり、必要に応じて記録したりする。このような装置又は機器は、こうした情報取得に係る機能が主機能として活用される。そのため、このような装置又は機器は、電源がオンとされた直後から、情報取得のタイミングを逸することなく、情報取得を行うことが期待されている。また、このようにして情報記録装置に記録されている各種情報について、例えば何を撮影したかを確認したい場合、撮影したものを他人に見せたい場合等に、ユーザが情報記録装置を操作して確認することも考えられた装置もある。一方で、ユーザは、手元に情報記録装置が無い場合でも、情報記録装置に記録されている各種情報について確認したいと思う場合もある。
【０００３】
このようなことから、例えば、画像等の記録情報についてスマートフォン等の情報端末で確認できる情報記録装置に係る技術には需要がある。例えば特許文献１には、撮影して得た画像データを無線で画像サーバへ送信する撮像装置に係る技術が開示されている。
【先行技術文献】
【特許文献】
【０００４】
【特許文献１】特開２００４−２６０２８６号公報
【発明の概要】
【発明が解決しようとする課題】
【０００５】
ユーザが情報記録装置を操作して情報の記録を行う場合と、ユーザが通信を介して情報記録装置に記録されている各種情報について確認する場合とでは、情報記録装置の用途が異なる。
【０００６】
本発明は、状況に応じて適切なモードを実行できる情報記録装置、情報記録システム及び情報記録装置の制御方法を提供することを目的とする。
【課題を解決するための手段】
【０００７】
本発明の一態様によれば、情報記録装置は、情報を取得して記録する記録モードと記録されている情報を再生可能とする再生モードとの機能を有し、通信によって外部機器から操作情報を取得し、前記操作情報に基づいて動作する連携動作が可能な情報記録装置であって、前記外部機器との間で通信を行う通信部と、前記通信により前記連携動作で起動する時に実行されるモードとして、前記再生モードを選択するモード制御部とを備える。
【０００８】
本発明の一態様によれば、情報記録システムは、前記情報記録装置と、前記外部機器とを備える。
【０００９】
本発明の一態様によれば、情報記録装置の制御方法は、情報を取得して記録する記録モードと記録されている情報を再生可能とする再生モードとの機能を有し、通信によって外部機器から操作情報を取得し、前記操作情報に基づいて動作する連携動作が可能な情報記録装置の制御方法であって、前記外部機器との間で通信を行うことと、前記通信により前記連携動作で起動する時に実行されるモードとして、前記再生モードを選択することとを含む。
【発明の効果】
【００１０】
本発明によれば、状況に応じて適切なモードを実行できる情報記録装置、情報記録システム及び情報記録装置の制御方法を提供できる。
【図面の簡単な説明】
【００１１】
【図１Ａ】図１Ａは、第１の実施形態に係る情報記録システムの構成例の概略を示すブロック図である。
【図１Ｂ】図１Ｂは、第１の実施形態に係る情報記録システムが使用される場合の構成の概念を説明するためのブロック図である。
【図２】図２は、第１の実施形態に係る情報記録装置制御処理の一例を示すフローチャートである。
【図３】図３は、第１の実施形態に係る外部機器制御処理の一例を示すフローチャートである。
【図４】図４は、第１の実施形態の変形例に係る情報記録装置制御処理の一例を示すフローチャートである。
【図５】図５は、第２の実施形態に係る情報記録システムの構成例の概略を示すブロック図である。
【図６】図６は、第２の実施形態に係る情報記録システムが使用される場面の一例を示す模式図である。
【図７】図７は、第２の実施形態に係るカメラ制御処理の一例を示すフローチャートである。
【図８】図８は、第２の実施形態に係る状態情報取得処理の一例を示すフローチャートである。
【図９】図９は、第２の実施形態に係る制限付き再生処理の一例を示すフローチャートである。
【図１０】図１０は、第２の実施形態に係る制限付き撮影処理の一例を示すフローチャートである。
【図１１Ａ】図１１Ａは、第２の実施形態に係るスマートフォン制御処理の一例を示すフローチャートである。
【図１１Ｂ】図１１Ｂは、第２の実施形態に係るスマートフォン制御処理の一例を示すフローチャートである。
【図１２Ａ】図１２Ａは、第２の実施形態に係るスマートフォンにおける機能表示の一例を示す模式図である。
【図１２Ｂ】図１２Ｂは、第２の実施形態に係るスマートフォンにおけるサムネイル画像表示の一例を示す模式図である。
【図１２Ｃ】図１２Ｃは、第２の実施形態に係るスマートフォンにおける再生処理時の表示の一例を示す模式図である。
【図１２Ｄ】図１２Ｄは、第２の実施形態に係るスマートフォンにおける撮影処理時の表示の一例を示す模式図である。
【図１３】図１３は、第２の実施形態の変形例に係る状態情報取得処理の一例を示すフローチャートである。
【発明を実施するための形態】
【００１２】
［第１の実施形態］
＜情報記録システムの構成＞
本発明の第１の実施形態について図面を参照して説明する。本実施形態に係る情報記録システム１の構成例の概略をブロック図として図１Ａに示し、図１Ａを参照して情報記録システム１の構成について説明をする。
【００１３】
図１Ａに示すように、本実施形態に係る情報記録システム１は、情報記録装置１０と、外部機器２０とを含む。本実施形態に係る情報記録装置１０は、少なくとも、情報を取得する情報取得モードと、記録されている情報を再生可能とする再生モードとの機能を実行できる。また、本実施形態に係る情報記録装置１０は、取得した情報を記録する機能をさらに含む情報取得モードである記録モードとしての機能を実行できるように構成されていてもよい。さらに、本実施形態に係る情報記録装置１０は、通信によって外部機器２０から取得するユーザ操作に基づいて動作する連携動作が可能なように構成されている。
【００１４】
以下、本実施形態では、情報記録装置１０が記録モードと再生モードとの機能を備える場合を例として、情報記録システム１について説明を行う。ここで再生モードは、情報取得を禁じて、予め情報記録装置１０が取得して記録した情報、又は情報記録装置１０が取得した情報に限らず情報記録装置１０に記録されている情報を再生可能として、ユーザが確認できるモードとなっている。
【００１５】
情報取得が禁止されている状況では、例えば情報取得できる装置の所持又は使用により、個人情報や著作権等に関連して複雑な利害関係が生じ得る。また、情報取得の際には、例えば、センサへの電源投入が必要であったり、記録によってメモリの容量が消費されたり、ユーザの予期せぬ問題が生じたりし得る。そのため、情報を取得する情報取得モード又は情報を取得して記録できる記録モードと、情報取得が禁止された再生モードとのようなモードの切り分けは、重視される必要がある。
【００１６】
情報記録装置１０は、各種情報を取得して記録することと、記録されている情報をユーザに提示することと、外部機器２０と通信することとが可能な電子機器であればよい。この情報取得は、当該機器によって行われなくてもよい。すなわち、ユーザへ提示される情報は、当該機器が取得した情報に限らず、当該機器に記録されている情報であればよい。情報記録装置１０は、例えばカメラ、ＩＣレコーダ、タブレットＰＣ、スマートフォン、スキャナ、電子メモ帳、テレビのレコーダ等を含む。特に携帯性の高い情報記録装置１０では、電池の制約やメモリの制約から、無駄な情報取得を抑える必要がある。そのため、情報記録装置１０が、色々な場所で、不用意に情報取得を行う事がないように、情報記録装置１０の起動時の動作を管理する必要がある。情報記録装置１０は、内部制御回路１１と、情報取得部１２と、情報記録部１４と、情報提示部１５と、通信部１６と、操作部１７とを備える。
【００１７】
内部制御回路１１は、情報記録装置１０の備える各部の動作を制御する。また、内部制御回路１１は、情報記録装置１０の動作に係る各種情報を取得し、情報記録装置１０の動作に係る各種判定を行う。内部制御回路１１は、情報記録装置１０で取得された各種情報を、例えば記録用の情報やユーザへの提示用の情報へと変換する処理を行ってもよい。内部制御回路１１は、モード制御部１１ａとしての機能を備える。モード制御部１１ａは、情報記録装置１０において、例えば、再生モードと記録モードとの何れのモードを実行するかを判定して選択する。なお、内部制御回路１１は、ユーザへの通知や警告を行う通知制御部としての機能をさらに備えていてもよい。
【００１８】
情報取得部１２は、情報記録装置１０の外部から情報を取得する。例えば、情報記録装置１０がカメラの場合には、情報取得部１２は撮像して画像データを生成する撮像部と音声データを取得するマイクロフォンとを含む。例えば、情報記録装置１０がＩＣレコーダの場合には、情報取得部１２はマイクロフォンを含む。なお、情報取得部１２は、操作部１７を含んでユーザ操作の結果を取得してもよい。例えば、情報記録装置１０がタブレットＰＣの場合には、情報取得部１２は撮像部とマイクロフォンとユーザ操作を取得するためのタッチパネル等とを含んでいてもよい。
【００１９】
情報記録装置１０では、例えば取得情報のユーザへの提示等の機能は、他の機器に実行を委ねる場合があり、副次的な機能（サブ機能）とも表現できる。一方で、こうした機器では、迅速でタイミングを逃さない情報取得が主機能となるため、通常は、情報取得に係る機能が優先的に起動される。また、ここでの情報取得は、情報を取得して、取得した情報を分析した結果から、さらに他の情報を得ることによって行われる情報取得でもよい。また、情報記録装置１０は、情報を取得して、取得した情報を分析した結果から、さらに他の情報を得て、得られた情報を記録する検査装置のようなものでもよい。
【００２０】
情報記録部１４には、情報記録装置１０の備える各部で用いられるプログラムや各種パラメータ、情報取得部１２で得られた情報が記録される。また、情報記録部１４には、情報取得部１２が取得した情報、記録用の情報、ユーザへの提示用の情報、動作時の処理情報といった各種情報が一時的に記録される。また、情報記録部１４には、外部機器２０等の連携動作時の接続先に係る情報も記録される。
【００２１】
情報提示部１５は、情報記録部１４に記録されている情報をユーザに提示する。情報提示部１５は、例えば画像データ、文字列データを表示するディスプレイ、音声データを出力するスピーカ等を含む。
【００２２】
情報取得部１２と情報記録部１４とは、情報を取得して記録する記録モードの機能を情報入力部として実行する。また、情報記録部１４と情報提示部１５とは、記録されている情報をユーザへ提示する再生モードの機能を情報再生部１３として実行する。この再生モードの機能は、主機能である情報取得機能（記録モードの機能）によって記録された情報を再生（ユーザへ提示）可能とする機能であって、撮影や録音等の情報記録中における画像等のライブ情報の確認用の再生（ユーザへの提示）を実行する機能ではない。再生モードの機能は、情報取得機能を主機能と表現した場合にサブ機能と表現され得る、再生（ユーザへの提示）を実行する機能であり、情報記録装置１０又は外部機器２０が有する、例えば表示部等の情報提示部に画像等の記録情報を提示させる機能である。ここで提示される情報は、画像に限らず、音声であったり、得られた情報の解析から取得された情報であったりしてもよい。再生モードの機能の特徴としては、例えば情報記録装置１０が撮像装置の場合には、撮影されて記録されている画像が、情報記録装置１０や外部機器２０の表示部にサムネイル画像として表示されたり、拡大された再生画像として表示されたりするということがある。
【００２３】
通信部１６は、外部機器２０との間で通信を行う。通信には、例えばＷｉ−Ｆｉ（登録商標）、Ｂｌｕｅｔｏｏｔｈ（登録商標）等を利用した無線通信が利用される。また、情報記録装置１０と外部機器２０とは、有線によって接続されて互いに通信が行われてもよいし、互いにインターネット等の電気通信回線に接続されてインターネット等の電気通信回線を介して通信が行われてもよい。通信部１６は、主として制御信号の送受信に用いられる第１の通信と、主として画像データ等の各種情報の送受信に用いられる第２の通信とを行う。
【００２４】
操作部１７は、ユーザ操作を取得する。操作部１７は、ユーザ操作を取得できる要素であればよく、例えばタッチパネル、押しボタン、つまみ、スライダ、ダイヤル、レバー、キーボード等を含む。
【００２５】
一方で、外部機器２０は、情報記録装置１０と通信することと、当該通信によって情報記録装置１０を制御できることと、当該通信によって情報記録装置１０に記録されている情報を取得することと、取得した情報をユーザに提示することとが可能な電子機器であればよい。外部機器２０は、例えばスマートフォン、タブレットＰＣ等を含む。外部機器２０は、外部制御回路２１と、情報提示部２５と、通信部２６と、操作部２７とを備える。
【００２６】
外部制御回路２１は、外部機器２０の備える各部の動作を制御する。また、外部制御回路２１は、外部機器２０の動作に係る各種情報を取得し、外部機器２０の動作に係る各種判定を行う。外部制御回路２１は、モード制御部２１ａを備える。モード制御部２１ａは、情報記録装置１０において、例えば再生モードと記録モードとのうち、何れのモードを実行させるかを判定して選択する。また、モード制御部２１ａは、外部機器２０において実行されるモード、各種機能を判定して選択する。
【００２７】
情報提示部２５は、外部機器２０の内部に記録されている情報、情報記録装置１０から取得した情報等をユーザへ提示する。情報提示部２５は、例えば画像データ、文字列データを表示するディスプレイ、音声データを出力するスピーカ等を含む。
【００２８】
通信部２６は、情報記録装置１０との間で通信を行う。当該通信は、情報記録装置１０との間で直接行われて確立されてもよいし、インターネット等の電気通信回線を介して確立されてもよい。通信部２６は、制御信号の送受信に用いられる第１の通信と、画像データ等の各種情報の送受信に用いられる第２の通信とを行う。
【００２９】
操作部２７は、ユーザ操作を取得する。操作部２７は、ユーザ操作を取得できる要素であればよく、例えばタッチパネル、押しボタン、つまみ、スライダ、ダイヤル、レバー、キーボード等を含む。
【００３０】
ここで、本実施形態に係る情報記録システム１が使用される場合の情報記録システム１の構成の概念を図１Ｂに示す。図１Ｂに示すように、ユーザは、上述したような情報記録システム１を使用することで、ユーザの手元にある外部機器２０の備える操作部２７を操作しているにも関わらず、ユーザの手元にない情報記録装置１０に記録されている情報を確認したり、観賞したりすることができる。同様に、ユーザは、情報記録装置１０に情報取得に係る動作を行わせることもできる。
【００３１】
なお、内部制御回路１１及び外部制御回路２１は、Central Processing Unit（ＣＰＵ）、Application Specific Integrated Circuit（ＡＳＩＣ）、又はField Programmable Gate Array（ＦＰＧＡ）等の集積回路等を含む。内部制御回路１１と内部制御回路１１のモード制御部１１ａとは、それぞれ１つの集積回路等で構成されてもよいし、それぞれ複数の集積回路等が組み合わされて構成されてもよい。また、内部制御回路１１と内部制御回路１１のモード制御部１１ａとは、１つの集積回路等で構成されてもよい。同様に、外部制御回路２１と外部制御回路２１のモード制御部２１ａとは、それぞれ１つの集積回路等で構成されてもよいし、それぞれ複数の集積回路等が組み合わされて構成されてもよい。また、外部制御回路２１と外部制御回路２１のモード制御部２１ａとは、１つの集積回路等で構成されてもよい。これら集積回路の動作は、例えば情報記録部１４、外部機器２０、集積回路内の記録領域等に記録されたプログラムに従って行われる。
【００３２】
なお、情報記録部１４又は情報記録部１４の備える各要素は、例えばフラッシュメモリのような不揮発性メモリであるが、Static Random Access Memory（ＳＲＡＭ）やDynamic Random Access Memory（ＤＲＡＭ）のような揮発性メモリをさらに有していてもよい。また、情報記録部１４又は情報記録部１４の備える各要素は、それぞれ１つのメモリ等で構成されてもよいし、複数のメモリ等が組み合わされて構成されてもよい。また、情報記録システム１の外部にあるデータサーバ等を、そのメモリの一部として利用してもよい。
【００３３】
＜情報記録システムの動作＞
情報記録装置１０で行われる情報記録装置制御処理の一例をフローチャートとして図２に示し、これを参照して情報記録システム１の動作について説明をする。なお、ここでは、情報記録装置１０が外部機器２０から通信を介して制御されて連携動作が開始される場合を例として説明をする。
【００３４】
ステップＳ１０１において、内部制御回路１１は、外部機器２０との間で通信が確立されるまで待機する。このとき、情報記録装置１０は電源オフの状態であり、通信部１６は給電されて起動しているものとする。情報記録装置制御処理は、通信の確立後にステップＳ１０２へ進む。ステップＳ１０２において、内部制御回路１１は、情報記録装置１０の電源をオンとすることを指示するための電源ＯＮ通信を受信したか否かを判定する。情報記録装置制御処理は、電源ＯＮ通信を受信したと判定されるまで処理を繰り返し、判定された場合はステップＳ１０３へ進む。
【００３５】
ステップＳ１０３において、内部制御回路１１は、電源ＯＮ通信に従い、情報記録装置１０の備える各部への電力供給を開始して、情報記録装置１０の電源をオンとする。このとき、モード制御部１１ａは、通信によって外部機器２０から接続されて情報記録装置１０の機能が使用される連携動作が開始されたと判断し、情報記録装置１０で実行されるモードとして情報取得が禁止されたモードである再生モードを選択する。すなわち、本実施形態に係る情報記録装置１０は、外部機器２０との間で通信が行われて連携動作が実行される場合には、再生モードで起動して連携動作を開始する。連携動作は、必ずしも再生モードが実行されて行われる場合に限らない。例えば、連携動作によって情報取得モード又は記録モードが実行されることも重要である。また、通信を介して電源がオンとされたときに、まず、情報取得モード又は記録モードを実行する情報記録装置１０もあり得るが、これは以下の理由で好ましい設計ではない。つまり、情報取得を主機能とする機器に関しては、例えば遠隔操作によって無闇に情報取得が開始されると、思わぬ不具合が発生し得る。例えば、撮影や録音等が禁止された状況下で、こうした撮影や録音等の行為を行ってしまったり、当該機器の持ち主が著作権を有していない著作物が記録されてしまったりするような状況が起こり得る。
【００３６】
ステップＳ１０４において、内部制御回路１１は、情報記録装置１０の電源をオフとすることを指示するための電源ＯＦＦ通信を受信したか否かを判定する。情報記録装置制御処理は、電源ＯＦＦ通信を受信したと判定された場合はステップＳ１０５へ進み、判定されなかった場合はステップＳ１０６へ進む。ステップＳ１０５において、内部制御回路１１は、情報記録装置１０の電源をオフとする。このとき、第１の通信を行う通信部１６への電源供給は継続され、情報記録装置１０は、通信待機状態となる。その後、情報記録装置制御処理はステップＳ１０１へ戻る。
【００３７】
ステップＳ１０６において、内部制御回路１１は、情報リストを要求する情報リスト要求通信を外部機器２０から受信したか否かを判定する。情報リスト要求通信は、第１の通信によって行われる。情報リストは、情報記録装置１０の備える情報記録部１４に記録されており、ユーザへの提示が可能な各種情報を示す目録である。例えば画像データ、動画データに係る情報リストは、各々のデータを示すサムネイル画像を含んでいてもよい。情報記録装置制御処理は、情報リスト要求通信を受信したと判定された場合はステップＳ１０７へ進み、判定されなかった場合はステップＳ１０８へ進む。ステップＳ１０７において、内部制御回路１１は、情報記録部１４から情報リストを読み出す。また、内部制御回路１１は、通信部１６に外部機器２０へ情報リストを送信させる第２の通信を行わせる。その後情報記録装置制御処理はステップＳ１０８へ進む。
【００３８】
ステップＳ１０８において、内部制御回路１１は、記録モードへの移行を指示するための第１の通信を外部機器２０から受信したか否かを判定する。情報記録装置制御処理は、記録モードへの移行を指示する操作が行われたと判定された場合はステップＳ１１０へ進み、判定されなかった場合はステップＳ１０９へ進む。
【００３９】
ステップＳ１０９において、内部制御回路１１は、情報の提示に係る処理（提示処理）を実行する。提示処理は、情報記録部１４に記録されている記録情報がユーザに提示される再生モードにおける処理である。提示処理において、内部制御回路１１は、ユーザへ提示する記録情報の送信を指示する提示指示を外部機器２０から受信した場合、当該提示指示に従って記録情報を通信部１６に外部機器２０へと送信させる。提示処理において、内部制御回路１１は、提示処理を終了するか否かの判定を行う。当該判定は、外部機器２０から受信する制御信号、記録情報の再生時間、提示開始からの経過時間等に基づいて行われる。提示処理は、終了すると判定された場合は処理を終了し、情報記録装置制御処理のステップＳ１０４へ戻る。
【００４０】
ステップＳ１１０において、内部制御回路１１は、実行するモードを再生モードから記録モードへと切り替えて、情報の記録に係る処理（記録処理）を実行する。記録処理は、情報取得部１２の取得する情報が、記録情報として情報記録部１４に記録される記録モードにおける処理である。記録処理において、内部制御回路１１は、情報取得部１２に情報の取得を開始させ、また、情報取得部１２が取得しているライブ情報を通信部１６に設定された送信先へと送信させる。ライブ情報は、例えばライブビュー画像を含む。なお、本実施形態では、送信先は予め設定されて情報記録部１４等に記録されている場合を例として説明するが、これに限らない。送信先は、例えば記録処理において設定されてもよい。また、内部制御回路１１は、調整指示を含む調整用通信を外部機器２０から受信した場合、当該調整指示に従って記録処理に係る各種パラメータの調整及び設定を行う。例えば、情報記録装置１０がカメラである場合には、調整指示は、ピントを調整するための制御信号を含む。また、例えば、取得する情報が動画である場合には、調整用通信は、動画の圧縮方法等を設定するための制御信号を含む。また、内部制御回路１１は、記録指示を含む記録制御用通信を外部機器２０から受信した場合、当該記録指示に従って、情報を記録用の設定で情報取得部１２に取得させ、情報記録部１４へ記録させる。ここで、記録指示は、記録開始、記録中断、記録終了等の情報記録装置１０の記録処理に係る動作を制御するための制御信号を含む。記録処理において、内部制御回路１１は、記録処理を終了するか否かの判定を行う。当該判定は、外部機器２０から受信する制御信号、情報記録装置１０の備える操作部１７がユーザ操作に応じて出力する制御信号等に基づいて行われる。記録処理は、終了すると判定された場合は処理を終了し、情報記録装置制御処理のステップＳ１０４へ戻る。
【００４１】
なお、ステップＳ１０８において、ユーザが情報記録装置１０の備える操作部１７を操作して、記録モードへの移行を指示する場合もあり得る。この場合、提示処理における提示指示と、記録処理における調整指示及び記録指示とは、操作部１７の出力に基づいて行われてもよい。記録情報及びライブ情報は、操作部１７の出力に基づいて、外部機器２０へ送信されて外部機器２０においてユーザへ提示されてもよいし、情報記録装置１０の備える情報提示部１５においてユーザへ提示されてもよい。
【００４２】
ここで、外部機器２０で行われる外部機器制御処理の一例をフローチャートとして図３に示し、これらを参照して情報記録システム１の動作について説明をする。ここでは、ユーザが外部機器２０を操作して、情報記録装置１０との連携動作に係る機能が選択された後の動作について説明をする。また、ここでは、連携動作における外部機器２０の接続先として、情報記録装置１０に係る情報が予め設定されて外部機器２０の内部に記録されているものとする。情報記録装置１０に係る情報は、例えば外部機器２０におけるユーザ操作に応じて設定されたりする。
【００４３】
ステップＳ２０１において、外部制御回路２１は、情報記録装置１０との間での通信を通信部２６に開始させる。ステップＳ２０２において、外部制御回路２１は、通信が確立したか否かを判定する。外部機器制御処理は、通信が確立したと判定された場合はステップＳ２０４へ進み、判定されなかった場合はステップＳ２０３へ進む。ステップＳ２０３において、外部制御回路２１は、通信確立のための試行中である通信待ち状態であることをユーザへ通知する。また、外部制御回路２１は、通信確立のための試行が開始されてから所定の時間が経過している場合には、通信が確立できないことをユーザへ警告する。その後、外部機器制御処理は、ステップＳ２０１へ戻る。なお、本ステップの処理は、情報記録装置制御処理のステップＳ１０１の処理に対応する。
【００４４】
ステップＳ２０４において、外部制御回路２１は、情報記録装置１０の電源をオンとすることを指示するための電源ＯＮ通信を通信部２６に行わせる。なお、本ステップの処理は、情報記録装置制御処理のステップＳ１０２の処理に対応する。
【００４５】
ステップＳ２０５において、外部制御回路２１は、情報リスト要求通信を通信部２６に行わせる。ステップＳ２０６において、外部制御回路２１は、情報記録装置１０から通信を介して情報リストを取得し、取得した情報をユーザへ提示する。例えば外部機器２０がディスプレイを備える場合には、当該ディスプレイへ情報リストが表示される。なお、ステップＳ２０５及びステップＳ２０６の処理は、情報記録装置制御処理のステップＳ１０６及びステップＳ１０７の処理に対応する。
【００４６】
ステップＳ２０７において、外部制御回路２１は、例えばユーザ操作に応じた操作部２７の出力に基づいて、情報リストで示される記録情報の中から、ユーザへ提示される記録情報（提示情報）が選択されたか否かの判定を行う。外部機器制御処理は、提示情報が選択されたと判定された場合はステップＳ２０８へ進み、判定されなかった場合はステップＳ２０９へ進む。
【００４７】
ステップＳ２０８において、外部制御回路２１は、外部機器側提示処理を実行する。外部機器側提示処理は、情報記録装置１０から取得した提示情報を外部機器２０においてユーザへ提示する処理である。外部制御回路２１は、選択された提示情報を送信させる提示指示を通信部２６に情報記録装置１０へと送信させる。また、外部制御回路２１は、提示情報を情報記録装置１０から取得し、情報提示部２５にユーザへ提示させる。また、外部制御回路２１は、外部機器側提示処理を終了して情報リストの提示に戻るか否かの判定を行う。当該判定では、例えば、提示情報の提示が終了した場合、提示情報の提示が開始されてから所定の時間が経過した場合、情報の提示を終了させるためのユーザ操作を操作部２７が検出した場合等に、終了すると判定される。ここで、提示情報の提示が終了した場合とは、例えば、提示情報が動画である場合には、当該動画の再生時間が終了した場合である。外部機器制御処理は、外部機器側提示処理を終了すると判定された場合はステップＳ２０５へ戻る。なお、本ステップの処理は、情報記録装置制御処理のステップＳ１０９の処理に対応する。
【００４８】
ステップＳ２０９において、外部制御回路２１は、例えばユーザ操作に応じた操作部２７の出力に基づいて、情報記録装置１０を記録モードへ移行させるか否かの判定を行う。外部機器制御処理は、移行させると判定された場合はステップＳ２１０へ進み、判定されなかった場合はステップＳ２１１へ進む。
【００４９】
ステップＳ２１０において、外部制御回路２１は、外部機器側記録処理を実行する。外部機器側記録処理は、連携動作によって情報記録装置１０に記録処理を行わせるための処理である。外部制御回路２１は、記録モードへの移行を指示する制御信号を通信部２６に情報記録装置１０へと送信させる。また、外部制御回路２１は、第２の通信によって、ライブ情報を情報記録装置１０から取得し、情報提示部２５にユーザへ提示させる。また、外部制御回路２１は、例えばユーザ操作に応じた操作部２７の出力に応じて、調整指示を含む調整用通信及び記録指示を含む記録制御用通信を通信部２６に実行させる。また、外部制御回路２１は、例えばユーザ操作に応じた操作部２７の出力に基づいて、外部機器側記録処理を終了するか否かの判定を行う。外部制御回路２１は、外部機器側記録処理を終了すると判定された場合には、記録処理に係る情報記録装置１０の動作を終了させるための制御信号を通信部２６に情報記録装置１０へと送信させる。外部機器制御処理は、終了すると判定された場合は処理を終了し、ステップＳ２０５へ戻る。なお、本ステップの処理は情報記録装置制御処理のステップＳ１１０の処理に対応する。
【００５０】
ステップＳ２１１において、外部制御回路２１は、例えばユーザ操作に応じた操作部２７の出力に基づいて、情報記録装置１０との連携動作を終了するか否かの判定を行う。外部機器制御処理は、終了すると判定された場合はステップＳ２１２へ進み、判定されなかった場合はステップＳ２０５へ戻る。ステップＳ２１２において、外部制御回路２１は、情報記録装置１０の電源をオフとすることを指示するための電源ＯＦＦ通信を通信部２６に行わせる。その後、外部機器制御処理はステップＳ２０１へ戻る。なお、本ステップの処理は、情報記録装置制御処理のステップＳ１０４及びステップＳ１０５の処理に対応する。
【００５１】
なお、上述の情報記録装置制御処理として、情報記録装置１０が外部機器２０から通信を介して電源がオンとされて連携動作が開始される場合を例として説明をしたが、情報記録装置１０の動作はこれに限らない。情報記録装置１０は、例えば、操作部１７によって取得されるユーザ操作に応じて起動する場合もあり得る。情報記録装置１０は、操作部１７の出力に基づいて電源がオンとされる場合には、記録モードで起動する。
【００５２】
記録モードで起動した後には、情報記録装置１０は、例えば、外部機器２０との間で通信して連携することなく単独で動作する非連携動作を開始する。このとき、情報記録装置１０は、例えば操作部１７の出力に基づいて、非連携動作時に実行されるモードを、記録モードとしたり、再生モードとしたりする。
【００５３】
記録モードでの起動後に外部機器２０との間で通信が確立した場合には、情報記録装置１０は、例えば、外部機器２０との間で通信して連携動作を開始する。このとき、情報記録装置１０は、例えば外部機器２０から受信するユーザ操作に応じた制御信号に基づいて、連携動作時に実行されるモードを、記録モードとしたり、再生モードとしたりする。
【００５４】
＜情報記録システムの利点＞
本実施形態に係る情報記録装置１０は、情報を取得して記録する記録モードと、記録されている情報を再生する再生モードとの機能を有しており、通信によって外部機器２０からユーザの操作に係る情報（操作情報）を取得し、当該操作情報に基づいて動作する連携動作が可能である。当該連携動作は、例えば、情報記録装置１０の電源がオフの状態で外部機器２０との間で通信が確立した後に外部機器２０から電源ＯＮ信号を受信した場合に開始される。また、本実施形態に係る情報記録装置１０では、当該連携動作の開始時に実行されるモードとして、再生モードが選択される。したがって、例えばユーザの手元に情報記録装置１０が無い場合等、ユーザが通信を介して情報記録装置に記録されている各種情報について確認する場合には、本実施形態に係る情報記録装置１０は、再生モードで起動して連携動作を実行する。すなわち、本実施形態に係る情報記録装置１０は、通信により連携動作で起動する時には、再生モードを実行する。
【００５５】
本実施形態に係る情報記録装置１０は、例えばユーザ操作に応じた情報記録装置１０の備える操作部１７の出力に基づいて、電源がオンとされる場合もある。この場合、本実施形態に係る情報記録装置１０は、記録モードで起動する。また、記録モードで起動した後には、操作部１７の出力に応じて記録モード又は再生モードが選択されて非連携動作が開始されたり、外部機器２０との間で通信が開始されて受信する制御信号に応じて記録モード又は再生モードが選択されて連携動作が開始されたりする。
【００５６】
このように、本実施形態に係る情報記録装置１０は、状況に応じて適切なモードを選択して実行できる。例えば、ユーザが情報記録装置１０を手元で操作している状況では、ユーザは記録用に情報記録装置１０を操作しながら調整したり、配置したりすることも可能である等、記録モードの需要があるため、本実施形態に係る情報記録装置１０は、記録モードで起動する。そのため、ユーザは、記録したいと思う瞬間が急に訪れても、本実施形態に係る情報記録装置１０を使用して、タイミングを逃さずに記録ができる。また、ユーザは、再生モードを使用したい場合には、記録モードで起動した後に操作部１７を操作して再生モードへと移行すればよい。
【００５７】
例えば、通信を介して電源がオンとされて連携動作が行われる場合には、ユーザは遠隔で情報を確認したい等、再生モードの需要があるため、本実施形態に係る情報記録装置１０は、再生モードを実行する。そのため、ユーザは、外部機器２０を操作するだけで、情報記録装置１０に記録されている記録情報について、通信を介して簡易に確認することができる。
【００５８】
例えば、記録モードでの起動後に外部機器２０との間で通信が確立して連携動作が開始される場合には、情報記録装置１０は、連携動作時に実行されるモードを、記録モードとしたり、再生モードとしたりする。当該モードの選択は、例えば外部機器２０から受信するユーザ操作に応じた制御信号に基づく。そのため、ユーザは、情報記録装置１０の電源がオンの状態で情報記録装置１０を記録用に調整又は配置した後に、遠隔で記録モードの機能を利用できる。また、ユーザは、情報記録装置１０の電源がオンの状態で情報記録装置１０を、外部にある情報提示機能を備える再生機器に接続する等、再生用に設定又は配置した後に、遠隔で再生モードの機能を利用できる。
【００５９】
なお、本実施形態では、情報記録装置１０が、情報を取得して記録できる記録モードと、情報取得が禁止されたモードであり、記録されている情報を再生可能とする再生モードとしての機能を備える場合を例として説明をしたが、これに限らない。上述の実施形態において、記録モードは、記録をせずに情報を取得するモードである情報取得モードに置換されても、上述の情報記録装置１０と同様の効果が得られる。この場合、取得された情報は、情報記録装置１０の外部に記録されてもよい。
【００６０】
なお、本実施形態では、ユーザへの情報の提示に係る情報処理を行う再生モードを情報記録装置１０が実行する場合を例として説明をしたが、これに限らない。例えば、連携動作時に情報記録装置１０が実行するモードは、ストレージモードであってもよい。ここで、ストレージモードは、外部機器２０が情報記録装置１０の備える情報記録部１４に読み出し及び書き込み可能に接続でき、再生モードが外部機器２０で実行されるモードである。このような構成であれば、ユーザへの情報の提示に要する情報処理が外部機器２０で行われるため、情報記録装置１０の消費電力を低減させることができる。また、ユーザは、例えば外部機器２０がスマートフォンである場合等、外部機器２０で取得した情報を、情報記録装置１０に記録させて、情報記録装置１０を外部記録媒体として使用することもできる。
【００６１】
なお、本実施形態では、外部機器２０が１つの情報端末である場合を例として説明をしたが、これに限らない。例えば、外部機器２０は、ＩｏＴ機器のディスプレイと、スマートフォンとの組み合わせで構成されていてもよい。このような構成であれば、ユーザは、スマートフォンを操作して、情報記録装置１０に記録されている情報を、ディスプレイで観賞することができる。
【００６２】
なお、本実施形態では、通信部１６及び通信部２６が、第１の通信と第２の通信とを行う場合を例として説明をしたが、これに限定されない。例えば、通信部１６及び通信部２６は、第１の通信を行う第１の通信部と、第２の通信を行う第２の通信部とを、それぞれ備えていてもよい。この場合、第１の通信には、例えばBluetooth Low Energy（ＢＬＥ）等の省待機電力の通信規格が用いられ、第２の通信には、Ｗｉ−Ｆｉ等の高速の通信規格が用いられればよい。また、ステップＳ１０６で行われる情報リストの送信は、例えば、第２の通信で行われるが、ＢＬＥによって送信可能なデータ容量である場合には、第１の通信部によって行われる第１の通信によって行われてもよい。このような構成とすることで、本実施形態に係る情報記録システム１又は情報記録装置１０は、通信待機時の電力消費を抑えることができる。そのため、省エネルギー化、バッテリの小型化による軽量化を図ることができる。
【００６３】
［第１の変形例］
本発明における第１の実施形態の変形例（第１の変形例）について説明する。ここでは、第１の実施形態との相違点について説明し、同一の部分については同一の符号を付してその説明を省略する。
【００６４】
第１の実施形態では、通常の起動時には、迅速でタイミングを逃さない情報取得のために、主機能である情報取得モード又は記録モードが実行される一方で、外部機器２０から通信で接続されて電源がオンとされた場合には、主機能に対してサブ機能と表現される再生モードが実行される情報記録装置１０について説明をした。このような情報記録装置１０は、ユーザの手元にない状況、すなわちユーザが情報記録装置１０の状態を確認できない状況であっても使用され得る。ところが、連携動作が開始されて情報記録装置１０の電源がオンとされた場合には、情報記録装置１０が配置されている状況によっては、例えば操作部１７が他の物と接触したりして、情報記録装置１０がユーザの意図しない動作をする可能性がある。例えば、撮影や録音が禁止されている状況下で、ユーザの意図しない情報取得が行われる可能性がある。このような情報取得では、他人の著作権やプライバシーを侵害する恐れのある情報が取得され得る。また、情報記録装置１０の備える情報提示部１５は、例えばディスプレイやスピーカであり、情報記録装置１０においてユーザに情報を提示するための要素である。そのため、情報記録装置１０がユーザの手元にない状況では、情報提示部１５のうち、情報記録装置１０において情報をユーザへ出力する箇所は、動作する必要がない。そこで本変形例では、連携動作の開始時に、主機能である情報取得モード又は記録モードではなく、サブ機能である再生モードが実行されることに加えて、情報提示部１５及び操作部１７の有する機能の一部無効化が実行される情報記録装置１０について説明をする。
【００６５】
＜情報記録システムの構成＞
本変形例に係る情報記録装置１０の備える内部制御回路１１は、機能制限部としての機能をさらに備える。機能制限部は、情報記録装置１０の有する機能を制限する。機能制限部は、電源制御部と、通知制御部としての機能を備える。電源制御部は、情報記録装置１０の備える各部に供給する供給電力を制御する。電源制御部は、情報記録装置１０の有する機能を制限するために、情報提示部１５及び操作部１７への電力供給を制御して、情報提示部１５及び操作部１７の機能の一部無効化を行う。通知制御部は、ユーザへの通知や警告を行う。本変形例に係る通知制御部は、例えば情報提示部１５及び操作部１７の機能の一部無効化が実行されていることをユーザへ通知する。
【００６６】
＜情報記録システムの動作＞
本変形例に係る情報記録装置１０で行われる情報記録装置制御処理の一例をフローチャートとして図４に示す。ここでは、図４に示す本変形例に係る情報記録装置制御処理と、図２に示す第１の実施形態に係る情報記録装置制御処理との対応を示しつつ、情報記録システム１の動作について説明をする。
【００６７】
ステップＳ３０１乃至ステップＳ３０３の処理は、ステップＳ１０１及びステップＳ１０３の処理とそれぞれ同様である。すなわち、内部制御回路１１は、ステップＳ３０１において外部機器２０との間で通信が確立されるまで待機し、通信の確立後に、ステップＳ３０２において電源ＯＮ通信を受信したか否かの判定を行う。情報記録装置制御処理は、電源ＯＮ通信を受信したと判定されるまで処理を繰り返し、判定された場合はステップＳ３０３へ進む。内部制御回路１１は、ステップＳ３０３において情報記録装置１０を再生モードで起動させる。
【００６８】
ステップＳ３０４において、内部制御回路１１は、情報提示部１５及び操作部１７の機能の一部無効化を実行する。内部制御回路１１は、例えば電力の供給を制御して、当該一部無効化を実現する。また、内部制御回路１１は、一部無効化が実行されていることをユーザへ通知するための制御信号を生成し、当該制御信号を通信部１６に外部機器２０へと送信させる。なお、ここで送信される通知は、外部機器２０において、例えば図３に示す外部機器制御処理のステップ２０６で情報リストが提示される際に行われる。
【００６９】
ステップＳ３０５において、内部制御回路１１は、電源ＯＦＦ通信を受信したか否かの判定を行う。本ステップの処理は、ステップＳ１０４の処理と同様である。情報記録装置制御処理は、電源ＯＦＦ通信を受信したと判定された場合はステップＳ３０６へ進み、判定されなかった場合はステップＳ３０８へ進む。
【００７０】
ステップＳ３０６において、内部制御回路１１は、情報提示部１５及び操作部１７の有する機能の一部無効化が行われている場合には、当該一部無効化を解除する。なお、当該一部無効化が行われていない場合には、本ステップでは処理が行われない。その後、情報記録装置制御処理は、ステップＳ３０７へ進み、ステップＳ１０５と同様に情報記録装置１０の電源をオフとした後にステップＳ３０１へ戻る。
【００７１】
ステップＳ３０８において、内部制御回路１１は、一部無効化を解除するか否かの判定を行う。当該判定では、例えばユーザの操作を操作部１７が検出したとき、外部機器２０から一部無効化の解除を指示する制御信号を受信したとき等に、一部無効化を解除すると判定される。なお、一部無効化の解除を指示する制御信号は、外部機器２０において、例えば図３に示す外部機器制御処理のステップ２０６で一部無効化の通知が行われた後にユーザ操作に応じて生成される。情報記録装置制御処理は、一部無効化を解除すると判定された場合はステップＳ３０９へ進み、判定されなかった場合はステップＳ３１０へ進む。ステップＳ３０９において、内部制御回路１１は、情報提示部１５及び操作部１７の機能の一部無効化を解除する。その後、情報記録装置制御処理はステップＳ３１０へ進む。
【００７２】
ステップＳ３１０乃至ステップＳ３１２の処理は、ステップＳ１０６乃至ステップＳ１０８の処理とそれぞれ同様である。すなわち、ステップＳ３１０において、内部制御回路１１は、情報リスト要求通信を受信したか否かの判定を行う。情報記録装置制御処理は、受信したと判定された場合はステップＳ３１１へ進み、判定されなかった場合はステップＳ３１２へ進む。ステップＳ３１１において、内部制御回路１１は、情報リストを外部機器２０へ送信する。ステップＳ３１２において、内部制御回路１１は、記録モードへの移行指示を受信したか否かの判定を行う。情報記録装置制御処理は、受信したと判定された場合はステップＳ３１４へ進み、判定されなかった場合はステップＳ３１３へ進む。
【００７３】
ステップＳ３１３において、内部制御回路１１は、制限付き提示処理を実行する。制限付き提示処理は、情報提示部１５及び操作部１７の機能の一部無効化が実行された状態で行われ得るステップＳ１０９の提示処理である。制限付き提示処理において、内部制御回路１１は、一部無効化が実行されている状態であるか否かの判定をさらに行う。一部無効化が実行されていると判定された場合、制限付き提示処理では、情報記録装置１０の備える操作部１７の出力に基づく提示処理は行われない。制限付き提示処理の終了後、情報記録装置制御処理はステップＳ３０５へ戻る。
【００７４】
ステップＳ３１４において、内部制御回路１１は、制限付き記録処理を実行する。制限付き記録処理は、情報提示部１５及び操作部１７の機能の一部無効化が実行された状態で行われ得るステップＳ１１０の記録処理である。制限付き記録処理において、内部制御回路１１は、一部無効化が実行されている状態であるか否かの判定をさらに行う。一部無効化が実行されていると判定された場合、制限付き記録処理では、情報記録装置１０の備える操作部１７の出力に基づく記録処理は行われない。制限付き記録処理の終了後、情報記録装置制御処理はステップＳ３０５へ戻る。
【００７５】
＜情報記録システムの利点＞
本変形例に係る情報記録装置１０は、第１の実施形態で得られる利点に加え、以下のような利点を有する。本変形例に係る情報記録装置１０では、外部機器２０との間で通信が確立している場合には、連携動作の開始時に実行されるモードとして再生モードが選択されることに加え、情報提示部１５及び操作部１７の機能の一部無効化が実行される。このようにして、本実施形態に係る情報記録装置１０は、誤動作によってユーザの意図しないタイミング及び場所でユーザへの情報の提示が開始されたり、情報の記録が開始されたりすることを防止できる。したがって、ユーザは、撮影や録音等の記録動作が禁止されている場所でも連携動作によって情報記録装置１０に記録されている情報を確認できる。また、ユーザは、意図しない提示動作又は記録動作が情報記録装置１０において行われて電力が消費されてバッテリ残量が低下したり、記録可能なデータ容量が低下したりすることなく情報記録システム１を利用できる。
【００７６】
また、本変形例に係る情報記録装置１０は、前記連携動作において一部無効化が実行されて機能が制限された場合には、ユーザへの情報の提示等の無効化された機能の一部を外部機器２０に行わせる。このため、ユーザは、一部無効化が実行されている場合であっても所望の機能を利用できる。
【００７７】
また、本変形例に係る情報記録装置１０は、電力供給を制御することによって一部無効化を実行する。したがってユーザは、連携動作時に情報記録装置１０では使用しない機能に電力が消費されてバッテリ残量が低下することなく情報記録システム１を利用できる。
【００７８】
［第２の実施形態］
本発明における第２の実施形態について説明する。ここでは、第１の実施形態の変形例（第１の変形例）との相違点について説明し、同一の部分については同一の符号を付してその説明を省略する。
【００７９】
第１の変形例では、通常の起動時には、迅速でタイミングを逃さない情報取得のために、主機能である情報取得モード又は記録モードが実行される一方で、外部機器２０から通信で接続されて電源がオンとされた場合には、主機能に対してサブ機能と表現される再生モードが実行されて情報提示部１５及び操作部１７の機能の一部無効化を実行する情報記録装置１０について説明をした。このような情報記録装置１０であれば、ユーザが他人の著作権やプライバシーを侵害する恐れのある情報を、意図せずに取得してしまうことを防げる。一方で、このような情報記録装置１０では、ユーザの手元に情報記録装置１０と外部機器２０とがある状況等、ユーザが情報記録装置１０と外部機器２０との両方を操作し得る状況であっても、情報提示部１５及び操作部１７の有する機能の一部無効化が実行されてしまうことが起こり得る。また、ユーザが通信を介した遠隔操作によって情報記録装置１０での記録動作を行う場合もあり得る。このような場合には、ユーザが撮影や録音が禁止されている状況であるか否かを判断できる。一方で、情報記録装置１０が例えば鞄の中に入れられており、鞄の中で他の荷物と接触している状況もあり得る。このような場合、情報記録装置１０に記録モードに係る動作に伴って変位又は変形する箇所があると、他の荷物によって変位又は変形が妨げられる可能性がある。このように、情報記録装置１０の配置されている状態によっては、正常な記録動作が出来なかったり、設計値以上の負荷が変位又は変形する箇所にかかってしまい故障したりする可能性がある。そこで、本実施形態では、情報記録装置１０の状態を取得して、取得した状態に基づいて、情報取得部１２、情報提示部１５及び操作部１７の有する機能の一部無効化が実行されるか否かの判定を行う情報記録装置１０について説明をする。
【００８０】
なお、本実施形態では、情報記録装置１０が撮像装置であり、外部機器２０がスマートフォンである場合を例として、より詳細に情報記録システム１について説明する。本実施形態に係る撮像装置は、第１の変形例に係る情報記録装置と同様に、撮像して画像若しくは動画を取得する情報取得モード又は撮像して取得した画像若しくは動画を記録する撮影モードと、記録されている画像又は動画を再生する再生モードとの機能を備える。このような撮像装置では、迅速でタイミングを逃さない情報取得に係る機能（情報取得モード又は撮影モードの機能）が主機能となり、外部機器で行われる場合もある画像等の再生に係る機能（再生モードの機能）はサブ機能である。そのため、撮像装置の起動時には、通常は、情報取得モード又は撮影モードが優先的に実行される。また、通信で電源がオンとされた時に、まず主機能である情報取得モード又は撮影モードの機能を実行可能とするカメラ１００の仕様もあり得るが、例えば、撮影が禁止された状況下で実行されたり、ユーザが著作権を有していない著作物が記録されたりし得るため、好ましくない場合がある。
【００８１】
なお、取得される情報は、撮像して取得される画像又は動画に限らず、撮像して得られた画像又は動画を分析して得られる結果であってもよい。また、撮像装置は、撮像して画像又は動画を取得して、取得した画像又は動画を分析して、分析結果からさらに他の情報を得て、得られた情報を記録する検査装置のようなものであってもよい。ただし、以下の説明では、撮像して画像が取得される場合、すなわち、撮影モードは、撮像して取得した画像を記録するモードであるとした場合を例に説明をする。
【００８２】
また、再生モードは、第１の変形例と同様に、情報取得に係る動作を禁止して、情報記録装置１０に記録されている情報をユーザが確認できる状態とする機能、すなわち情報を再生可能とする機能である。この再生モードの機能は、主機能である撮影モードで記録された情報又は撮像装置の内部に記録されている情報を再生可能とする機能であって、撮影中のライブビュー画像等の確認用の再生を実行する機能ではない。また、このサブ機能である再生モードの機能は、撮像装置又はスマートフォンが有するディスプレイに画像等の記録情報を表示させる機能である。ここで表示される情報は、画像に限らず、音声であったり、得られた情報の解析から取得された情報であったりしてもよい。再生モードの機能の特徴としては、撮像されて記録されている画像が、撮像装置やスマートフォンのディスプレイにサムネイル画像として表示されたり、拡大された再生画像として表示されたりするということがある。
【００８３】
＜情報記録システムの構成＞
本実施形態に係る情報記録システム１の構成例の概略をブロック図として図５に示す。図５に示すように、本実施形態に係る情報記録システム１は、情報記録装置１０の一例としてのカメラ１００と、外部機器２０の一例としてのスマートフォン２００とを含む。
【００８４】
カメラ１００は、カメラ側制御回路１１０と、画像処理回路１２０と、撮像部１３０と、変位部１４０と、記録回路１５０と、入出力装置１６０と、時計部１７０と、カメラ側通信装置１８０とを備える。
【００８５】
カメラ側制御回路１１０は、カメラ１００の備える各部の動作を制御する。また、カメラ側制御回路１１０は、カメラ１００の動作に係る各種情報を取得し、カメラ１００の動作に係る各種判定を行う。カメラ側制御回路１１０は、モード制御部１１１と、機能制限部１１２と、撮影制御部１１６と、記録制御部１１７としての機能を備える。モード制御部１１１は、第１の変形例に係る情報記録装置１０の備えるモード制御部１１ａに相当する。機能制限部１１２は、第１の変形例に係る情報記録装置１０の備える機能制限部としての機能に相当し、カメラ１００の備える各部のうち一部を無効化してカメラ１００の有する機能を制限する。機能制限部１１２は、電源制御部１１３と、通知制御部１１４としての機能を備える。電源制御部１１３と通知制御部１１４とは、それぞれ第１の変形例に係る情報記録装置１０の備える電源制御部と通知制御部との機能に相当する。本実施形態に係る機能制限部１１２は、状態取得部１１５をさらに備える。状態取得部１１５は、カメラ１００の周囲の状況を取得して、カメラ１００の状態を状態情報として取得する。撮影制御部１１６は、撮像部１３０の動作を制御し、撮像部１３０に画像を取得させる。撮影制御部１１６は、例えば、撮像部１３０の備える撮像光学系に含まれる合焦用レンズを光軸方向に移動させてピントを調節したり、撮像部１３０の備える絞りの動作を制御して露出の調節をしたり、撮像部１３０の備えるズームレンズの光軸方向の動作を制御してズームの調整をしたりする。記録制御部１１７は、カメラ１００における記録動作を制御する。
【００８６】
画像処理回路１２０は、撮像部１３０で得られた画像に対して各種画像処理を施す。画像処理回路１２０による画像処理後のデータは、例えば記録回路１５０に記録されたり、スマートフォン２００に送信されたりする。画像処理回路１２０は、画像解析部１２１と、画像処理部１２２としての機能を備える。画像解析部１２１は、得られた画像に基づく各種解析を行う。画像解析部１２１による解析の結果は、状態取得部１１５へ出力されたり、記録回路１５０に記録されたりする。画像解析部１２１としての機能は、状態取得部１１５に備えられていてもよい。画像処理部１２２は、画像に対して所定の効果を付与する加工を施す効果処理部としての機能、表示用画像や記録用画像を生成するための圧縮処理を施す圧縮処理部としての機能等を備え、得られた画像に対する各種画像処理を行う。
【００８７】
撮像部１３０は、例えば撮像光学系と撮像素子とを含み、撮像光学系を介して撮像素子の撮像面に結像した像に基づいて、画像を生成する。また、撮像部１３０は、撮像時に照明光又は補助光を照射する照明部を備えていてもよい。撮像部１３０は、第１の変形例に係る情報取得部１２に相当する。変位部１４０は、位置又は形状が変位又は変形する等、変化可能に構成されているカメラ１００の備える各部を含む。変位部１４０には、レンズ、レンズカバー等が含まれる。記録回路１５０は、カメラ１００の備える各部で用いられるプログラムや各種パラメータ、カメラ１００で得られたデータを記録する。また、記録回路１５０は、例えば画像（画素データ）、記録用の画像、表示用の画像、状態取得部１１５の出力、動作時の処理データといった各種データを一時的に記録する。入出力装置１６０は、操作部１６１と、表示部１６２とを備える。操作部１６１は、第１の変形例に係る操作部１７に相当し、ユーザ操作の結果を取得する。操作部１６１は、レリーズボタン、タッチパネル等を含む。表示部１６２は、第１の変形例に係る情報提示部１５に相当し、例えば液晶ディスプレイを含む。時計部１７０は、時刻情報をカメラ側制御回路１１０へ出力する。カメラ側通信装置１８０は、第１の通信部１８１と、第２の通信部１８２とを備える。第１の通信部１８１と、第２の通信部１８２とは、それぞれ、第１の変形例に係る通信部１６が備え得る、第１の通信を行う第１の通信部と、第２の通信を行う第２の通信部とに相当する。
【００８８】
スマートフォン２００は、スマートフォン側制御回路２１０と、操作部２６１と、表示部２６２と、スマートフォン側通信装置２８０とを備える。なお、スマートフォン２００は、各種情報を記録するためのスマートフォン側記録回路をさらに備えていてもよい。
【００８９】
スマートフォン側制御回路２１０は、第１の変形例に係る外部制御回路２１に相当し、スマートフォン２００の備える各部の動作を制御する。また、スマートフォン側制御回路２１０は、スマートフォン２００の動作に係る各種情報を取得し、また、各種判定を行う。スマートフォン側制御回路２１０は、通信制御部２１１を備える。通信制御部２１１は、スマートフォン側通信装置２８０と、カメラ１００の備えるカメラ側通信装置１８０との間で行われる通信を制御する。
【００９０】
操作部２６１は、第１の変形例に係る操作部２７に相当し、例えばタッチパネル、ボタンを含み、ユーザによるスマートフォン２００への操作結果を取得する。操作部２６１は、スイッチ、ダイヤル、キーボード、マウス等を含んでいてもよい。表示部２６２は、第１の変形例に係る情報提示部２５に相当し、例えば液晶ディスプレイを含む。スマートフォン側通信装置２８０は、第１の通信部２８１と、第２の通信部２８２とを備える。第１の通信部２８１と、第２の通信部２８２とは、それぞれ、第１の変形例に係る通信部２６が備え得る、第１の通信を行う第１の通信部と、第２の通信を行う第２の通信部とに相当する。
【００９１】
なお、カメラ側制御回路１１０、画像処理回路１２０及びスマートフォン側制御回路２１０は、Central Processing Unit（ＣＰＵ）、Application Specific Integrated Circuit（ＡＳＩＣ）、又はField Programmable Gate Array（ＦＰＧＡ）等の集積回路等を含む。カメラ側制御回路１１０、画像処理回路１２０及びスマートフォン側制御回路２１０は、それぞれ１つの集積回路等で構成されてもよいし、複数の集積回路等が組み合わされて構成されてもよい。また、カメラ側制御回路１１０及び画像処理回路１２０は、１つの集積回路等で構成されてもよい。また、カメラ側制御回路１１０の備える各部は、それぞれ１つの集積回路等で構成されてもよいし、複数の集積回路等が組み合わされて構成されてもよい。また、カメラ側制御回路１１０の備える各部のうち２つ以上が１つの集積回路等で構成されてもよい。また、画像処理回路１２０の備える各部は、それぞれ１つの集積回路等で構成されてもよいし、複数の集積回路等が組み合わされて構成されてもよい。また、画像処理回路１２０の備える各部のうち２つ以上が１つの集積回路等で構成されてもよい。同様に、スマートフォン側制御回路２１０と、スマートフォン側制御回路２１０の通信制御部２１１とは、それぞれ１つの集積回路等で構成されてもよいし、複数の集積回路等が組み合わされて構成されてもよい。スマートフォン側制御回路２１０と、スマートフォン側制御回路２１０の通信制御部２１１とは、１つの集積回路等で構成されてもよい。これら集積回路の動作は、例えば記録回路１５０又はスマートフォン側記録回路や集積回路内の記録領域に記録されたプログラムに従って行われる。
【００９２】
なお、記録回路１５０、スマートフォン側記録回路又はこれらの備える各要素は、例えばフラッシュメモリのような不揮発性メモリであるが、Static Random Access Memory（ＳＲＡＭ）やDynamic Random Access Memory（ＤＲＡＭ）のような揮発性メモリをさらに有していてもよい。また、記録回路１５０又はこれらの備える各要素と、スマートフォン側記録回路又はこれらの備える各要素とは、それぞれ１つのメモリ等で構成されてもよいし、複数のメモリ等が組み合わされて構成されてもよい。また、情報記録システム１の外部にあるデータサーバ等を、そのメモリの一部として利用してもよい。
【００９３】
＜情報記録システムの動作の概要＞
ここで、本実施形態に係る情報記録システム１が使用される場面の一例を模式図として図６に示す。なお、本実施形態に係るカメラ１００は、通信で電源がオンとされた場合には再生モードを実行して連携動作を開始するが、連携動作時に実行されるモードは、再生モードに限らない。連携動作によって撮影モードが実行されることも重要である。
【００９４】
例えば図６に示す場面では、カメラ１００は、ユーザ３００の持つ鞄４００の中に入れられた状態である。また、ユーザ３００は、スマートフォン２００の表示部２６２を見ながら、操作部２６１を操作できる状況である。例えばユーザ３００がスマートフォン２００を操作して、カメラ１００とスマートフォン２００との連携動作が開始された場合には、第１の変形例の場合と同様に、カメラ１００は再生モードを実行する。このとき、本実施形態に係るカメラ１００の備える状態取得部１１５は、カメラ１００の配置されている状態を状態情報として取得する。本実施形態に係るカメラ１００は、当該状態情報に基づいて、鞄４００の中に配置されているか否かを判定する。例えば図６に示すように、カメラ１００が鞄４００の中に配置されている状態では、カメラ１００の操作部１６１や表示部１６２が動作する必要はなく、また、変位部１４０が動作すると余計な負荷が生じてカメラ１００が故障する可能性がある。
【００９５】
そこで、本実施形態に係るカメラ１００は、鞄の中である等、カメラ１００の状態に応じて操作部１６１、表示部１６２及び変位部１４０の動作を制限し、操作部１６１、表示部１６２及び撮像部１３０の機能を一部無効化する。また、カメラ１００は、一部無効化が実行されていることをユーザ３００に通知する通信Ｓ１を行う。このようにして、ユーザ３００が故障の恐れがある動作を指示する通信Ｓ２を行った場合でも、カメラ１００が故障することを防ぐことができる。なお、通信Ｓ１によって状態情報がカメラ１００からスマートフォン２００へと送信されて、通信Ｓ２によって一部無効化のための制御信号がスマートフォン２００からカメラ１００へと送信される場合もあり得る。
【００９６】
＜情報記録システムの動作＞
カメラ１００で行われるカメラ制御処理の一例をフローチャートとして図７に示し、これを参照して情報記録システム１の動作について説明をする。ここでは、図７に示す本実施形態に係るカメラ制御処理と、図４に示す第１の変形例に係る情報記録装置制御処理との対応を示しつつ、情報記録システム１の動作について説明をする。
【００９７】
ステップＳ４０１乃至ステップＳ４０３の処理は、ステップＳ３０１乃至ステップＳ３０３の処理とそれぞれ同様の処理である。すなわち、カメラ側制御回路１１０は、ステップＳ４０１においてスマートフォン２００との間で通信が確立されるまで待機し、通信の確立後に、ステップＳ４０２において電源ＯＮ通信を受信したか否かを判定する。カメラ制御処理は、電源ＯＮ通信を受信したと判定されるまで処理を繰り返し、判定された場合はステップＳ４０３へ進む。ステップＳ４０３において、カメラ側制御回路１１０は、カメラ１００を再生モードで起動させる。
【００９８】
ステップＳ４０４乃至ステップＳ４０６の処理は、ステップＳ３０５乃至ステップ３０７の処理とそれぞれ同様の処理である。すなわち、カメラ側制御回路１１０は、ステップＳ３０５において電源ＯＦＦ通信を受信したか否かの判定を行う。受信した場合にはステップＳ４０５において一部無効化の実行中であれば一部無効化を解除した後に、ステップＳ４０６においてカメラ１００の電源をオフとする。カメラ制御処理は、電源ＯＦＦ通信を受信したと判定されなかった場合はステップＳ４０７へ進む。
【００９９】
ステップＳ４０７及びステップＳ４０８の処理は、ステップＳ３１０及びステップＳ３１１の処理とそれぞれ同様である。すなわち、ステップＳ４０７において、カメラ側制御回路１１０は、サムネイル要求通信を受信したか否かの判定を行う。なお、記録回路１５０に記録されている画像等を示すサムネイル画像は、第１の変形例における情報リストに相当する。カメラ制御処理は、受信したと判定された場合はステップＳ４０８へ進み、判定されなかった場合はステップＳ４０９へ進む。ステップＳ４０８において、カメラ側制御回路１１０は、サムネイル画像をスマートフォン２００へ送信する。その後、カメラ制御処理はステップＳ４０９へ進む。なお、本実施形態では、第１の通信によってサムネイル画像が送信される場合を例として説明をするが、これに限らない。カメラ１００は、例えば、サムネイル要求通信があった場合にはスマートフォン２００との間で第２の通信が確立されるように動作し、第２の通信によってサムネイル画像を送信してもよい。
【０１００】
ステップＳ４０９において、カメラ側制御回路１１０は、カメラ１００の状態を状態情報として取得する状態情報取得処理を行う。ここで、本実施形態に係る状態情報取得処理の一例をフローチャートとして図８に示す。
【０１０１】
ステップＳ５０１において、カメラ側制御回路１１０は、カメラ１００の状態が不明であることから、変位部１４０を動作させないようにして撮像部１３０に撮像させて画像を取得させ、取得した画像について画像処理回路１２０に解析させ、取得画像の明るさを状態情報として取得する。ステップＳ５０２において、カメラ側制御回路１１０は、状態情報に基づいて、取得した画像が所定の閾値より明るいか否かを判定する。状態情報取得処理は、所定の閾値より明るいと判定された場合はステップＳ５０６へ進み、判定されなかった場合はステップＳ５０３へ進む。
【０１０２】
ステップＳ５０３において、カメラ側制御回路１１０は、例えばフラッシュ等の補助光を照射しながら、再度撮像部に画像を取得させる。カメラ側制御回路１１０は、取得した画像について画像処理回路１２０に解析させて、取得画像の明るさを状態情報として再び取得する。ステップＳ５０４において、カメラ側制御回路１１０は、再び取得された状態情報に基づいて、取得した画像が特定の閾値より明るいか否かを判定する。状態情報取得処理は、特定の閾値より明るいと判定された場合はステップＳ５０５へ進み、判定されなかった場合はステップＳ５０６へ進む。
【０１０３】
ステップＳ５０５において、カメラ側制御回路１１０は、カメラ１００の周囲の状況が、暗い一方で補助光を散乱するものが存在する状況であることから、カメラ１００は鞄の中に配置されている状態であると状態取得部１１５へ出力する。その後、状態取得処理は終了し、カメラ制御処理のステップＳ４１０へ進む。
【０１０４】
ステップＳ５０６において、カメラ側制御回路１１０は、カメラ１００の周囲の状況が明るい又は暗い一方で補助光を散乱するものが存在しない状況であることから、カメラ１００は鞄の中に配置されていない状態であると、状態取得部１１５へ出力する。その後、状態取得処理は終了し、カメラ制御処理のステップＳ４１０へ進む。
【０１０５】
図７を再び参照して、状態情報取得後のカメラ制御処理について説明をする。ステップＳ４１０において、カメラ側制御回路１１０は、カメラ１００が鞄の中であるか否かを、取得された状態情報に基づいて判定する。カメラ制御処理は、鞄の中であると判定された場合はステップＳ４１１へ進み、判定されなかった場合はステップＳ４１３へ進む。
【０１０６】
ステップＳ４１１において、カメラ側制御回路１１０は、操作部１６１及び表示部１６２の有する機能を一部無効化する。本ステップの処理は、ステップＳ３０９の処理と同様である。ステップＳ４１２において、カメラ側制御回路１１０は、変位部１４０の動作を一部無効化して、撮像部１３０の有する機能を制限する。また、カメラ側制御回路１１０は、変位部１４０の動作が一部無効化されて撮像部１３０の有する機能が制限されていることをユーザへ通知するための制御信号を第１の通信部１８１にスマートフォン２００へ送信させる。したがって、ユーザは、変位部１４０の動作が制限されていることを容易に把握できる。なお、カメラ側制御回路１１０は、変位部１４０の動作を一部無効化した場合には、スマートフォン２００におけるユーザ操作の一部を無効化させるための制御信号を生成して第１の通信部１８１にスマートフォン２００へ送信させてもよい。この場合、制限された機能がスマートフォン２００においてユーザによって選択されても、変位部１４０が動作して故障することを防止できる。したがって、ユーザは、変位部１４０の動作に係るスマートフォン２００の操作が制限されていることを容易に把握できるため、急にスマートフォン２００における操作が無効化されても混乱することなく連携動作を利用できる。
【０１０７】
ステップＳ４１３乃至ステップＳ４１５の処理は、ステップＳ３１２乃至ステップＳ３１４の処理とそれぞれ同様である。すなわち、ステップＳ４１３において、カメラ側制御回路１１０は、撮影モードへの移行指示を受信したか否かの判定を行う。カメラ制御処理は、受信したと判定された場合はステップＳ４１５へ進んで制限付き撮影処理を実行し、判定されなかった場合はステップＳ４１４へ進んで制限付き再生処理を実行する。
【０１０８】
ここで、カメラ制御処理のステップＳ４１４で行われる制限付き再生処理の一例をフローチャートとして図９に示し、より具体的に情報記録システム１の動作について説明をする。
【０１０９】
ステップＳ６０１において、カメラ側制御回路１１０は、取得する画像等の送信先、すなわち連携動作時の通信先が設定済みであるか否かの判定を行う。制限付き再生処理は、設定済みであると判定された場合はステップＳ６０５へ進み、判定されなかった場合はステップＳ６０２へ進む。ステップＳ６０２において、カメラ側制御回路１１０は、例えばスマートフォン２００から取得するユーザ操作の結果に基づいて、通信先の設定を行うか否かの判定を行う。制限付き再生処理は、設定すると判定された場合はステップＳ６０３へ進み、判定されなかった場合はステップＳ６０５へ進む。ステップＳ６０３において、カメラ側制御回路１１０は、例えばスマートフォン２００から取得するユーザ操作の結果に基づいて、連携動作時の通信先について設定手続を行う。ステップＳ６０４において、カメラ側制御回路１１０は、設定された通信先の設定結果を例えば記録回路１５０へ記録する。その後、制限付き再生処理はステップＳ６０５へ進む。
【０１１０】
ステップＳ６０５において、カメラ側制御回路１１０は、スマートフォン２００から再生情報の送信を指示する再生指示を受信したか否かの判定を行う。制限付き再生処理は、再生指示を受信したと判定された場合はステップＳ６０６へ進み、判定されなかった場合はステップＳ６０７へ進む。ステップＳ６０６において、カメラ側制御回路１１０は、再生指示に応じて、再生情報を第２の通信部１８２にスマートフォン２００へ送信させる。なお、第２の通信は、例えば本ステップでの再生情報の送信に先立って確立される。その後、制限付き再生処理はステップＳ６１０へ進む。
【０１１１】
ステップＳ６０７において、カメラ側制御回路１１０は、操作部１６１の機能の一部無効化が実行されているか否かを判定する。制限付き再生処理は、一部無効化が実行されていると判定された場合はステップＳ６１０へ進み、判定されなかった場合はステップＳ６０８へ進む。ステップＳ６０８において、情報再生に係るユーザ操作をカメラ１００の備える操作部１６１が検出したか否かの判定を行う。例えば、ユーザは、操作部１６１を操作して、スマートフォン２００へ送信する情報を選択したり、カメラ１００で再生される情報を選択したりする。制限付き再生処理は、操作部１６１がユーザ操作を検出したと判定された場合はステップＳ６０９へ進み、判定されなかった場合はステップＳ６１０へ進む。ステップＳ６０９において、カメラ側制御回路１１０は、操作部１６１の取得したユーザ操作の結果に応じて、画像等の再生情報を表示部１６２に出力させたり、第２の通信部１８２にスマートフォン２００へ送信させたりする。その後、制限付き再生処理はステップＳ６１０へ進む。
【０１１２】
ステップＳ６１０において、カメラ側制御回路１１０は、例えばユーザ操作の結果に基づいて、制限付き再生処理を終了するか否かの判定を行う。ユーザ操作の結果は、例えば、操作部１６１によって検出されたり、通信を介して第１の通信部１８１によって取得されたりする。また、当該判定は、動画等の再生情報の再生が終了した場合、再生開始から所定の時間経過した場合等にも終了すると判定され得る。制限付き再生処理は、終了すると判定されなかった場合はステップＳ６０５へ戻り、判定された場合は処理を終了し、カメラ制御処理のステップＳ４０１へ戻る。
【０１１３】
ここで、カメラ制御処理のステップＳ４１５で行われる制限付き撮影処理の一例をフローチャートとして図１０に示し、より具体的に情報記録システム１の動作について説明をする。
【０１１４】
ステップＳ７０１乃至ステップＳ７０４の処理は、制限付き再生処理のステップＳ６０１乃至ステップＳ６０４と同様の処理である。すなわち、ステップＳ７０１において、カメラ側制御回路１１０は、連携動作時の通信先が設定済みであるか否かの判定を行う。制限付き記録処理は、設定済みであると判定された場合はステップＳ７０５へ進み、判定されなかった場合はステップＳ７０２へ進む。ステップＳ７０２において、カメラ側制御回路１１０は、通信先の設定を行うか否かの判定を行う。制限付き記録処理は、設定すると判定された場合はステップＳ７０３へ進み、判定されなかった場合はステップＳ７０５へ進む。カメラ側制御回路１１０は、ステップＳ７０３において、連携動作時の通信先について設定手続を行い、ステップＳ７０４において、設定結果を例えば記録回路１５０へ記録する。その後、制限付き記録処理はステップＳ７０５へ進む。ステップＳ７０５において、カメラ側制御回路１１０は、撮像部１３０にライブビュー画像用の撮像を開始させる。また、カメラ側制御回路１１０は、ライブビュー画像を第２の通信部１８２にスマートフォン２００へ送信させる。なお、第２の通信は、例えば本ステップでのライブビュー画像の送信に先立って確立される。
【０１１５】
ステップＳ７０６において、カメラ側制御回路１１０は、調整用通信をスマートフォン２００から受信したか否かを判定する。調整用通信は、撮影モードにおけるカメラ１００の動作に係る各種パラメータの調整を指示する制御信号を含む。例えば、調整用通信は、ピントを調整するための制御信号を含む。また、例えば、取得する情報が動画である場合には、調整用通信は、動画の圧縮方法等を設定するための制御信号を含む。制限付き撮影処理は、調整用通信を受信したと判定された場合はステップＳ７０７へ進み、判定されなかった場合はステップＳ７０８へ進む。ステップＳ７０７において、カメラ側制御回路１１０は、調整用通信で受信した調整指示に応じて、撮影モードにおけるカメラ１００の動作に係る各種パラメータの調整及び設定を行う。その後、制限付き撮影処理はステップＳ７１１へ進む。ステップＳ７０８及びステップＳ７０９の処理は、制限付き再生処理のステップＳ６０７及びステップＳ６０８の処理とそれぞれ同様である。すなわち、ステップＳ７０８において、カメラ側制御回路１１０は、一部無効化の有無を判定する。制限付き記録処理は、一部無効化が実行されていると判定された場合はステップＳ７１１へ進み、判定されなかった場合はステップＳ７０９へ進む。ステップＳ７０９において、カメラ側制御回路１１０は、ユーザ操作に応じた操作部１６１の出力の有無を判定する。制限付き記録処理は、操作部１６１の出力が検出されたと判定された場合はステップＳ７１０へ進み、判定されなかった場合はステップＳ７１１へ進む。ステップＳ７１０において、カメラ側制御回路１１０は、操作部１６１の取得したユーザ操作の結果に応じて、撮影モードにおけるカメラ１００の動作に係る各種パラメータの調整及び設定を行う。その後、制限付き再生処理はステップＳ７１１へ進む。
【０１１６】
ステップＳ７１１において、カメラ側制御回路１１０は、撮影制御用通信をスマートフォン２００から受信したか否かを判定する。撮影制御用通信は、撮影モードにおけるカメラ１００の撮影動作を制御するための制御信号を含む。制限付き撮影処理は、撮影制御用通信を受信したと判定された場合はステップＳ７１２へ進み、判定されなかった場合はステップＳ７１３へ進む。ステップＳ７１２において、カメラ側制御回路１１０は、撮影制御用通信で受信した撮影指示信号に応じて、撮像部１３０に撮像を開始させ、記録回路１５０に取得された画像を記録させる。ただし、カメラ側制御回路１１０は、変位部１４０の一部無効化が実行されている場合には、変位部１４０を動作させない又は変位部１４０の動作範囲を所定の範囲内とする。その後、制限付き撮影処理はステップＳ７１６へ進む。ステップＳ７１３及びステップＳ７１４の処理は、ステップＳ７０８及びステップＳ７０９の処理とそれぞれ同様である。すなわち、ステップＳ７１３において、カメラ側制御回路１１０は、一部無効化の有無を判定する。制限付き記録処理は、一部無効化が実行されていると判定された場合はステップＳ７１６へ進み、判定されなかった場合はステップＳ７１４へ進む。ステップＳ７１４において、カメラ側制御回路１１０は、ユーザ操作に応じた操作部１６１の出力の有無を判定する。制限付き記録処理は、操作部１６１の出力が検出されたと判定された場合はステップＳ７１５へ進み、判定されなかった場合はステップＳ７１６へ進む。ステップＳ７１５において、カメラ側制御回路１１０は、操作部１６１の取得したユーザ操作に応じて、撮像部１３０に撮像を開始させ、記録回路１５０に取得された画像を記録させる。ただし、カメラ側制御回路１１０は、変位部１４０の一部無効化が実行されている場合には、変位部１４０を動作させない又は変位部１４０の動作範囲を所定の範囲内とする。例えば、カメラ側制御回路１１０は、カメラ１００が鞄の中であると判定されている場合には、撮影時のズームレンズの動作を禁止する。その後、制限付き撮影処理はステップＳ７１６へ進む。
【０１１７】
ステップＳ７１６において、カメラ側制御回路１１０は、例えばユーザ操作に応じて、制限付き撮影処理を終了するか否かの判定を行う。ユーザ操作は、操作部１６１によって検出されたり、通信を介して第１の通信部１８１によって取得されたりし得る。制限付き撮影処理は、終了すると判定されなかった場合はステップＳ７０５へ戻り、判定された場合は処理を終了し、カメラ制御処理のステップＳ４０１へ戻る。
【０１１８】
スマートフォン２００で行われるスマートフォン制御処理の一例をフローチャートとして図１１Ａ及び図１１Ｂに示し、これを参照して情報記録システム１の動作について説明をする。なお、ここでは図５Ａ及び図５Ｂに示す第１の変形例で準用する第１の実施形態に係る外部機器制御処理の一例との相違点を示して説明をする。
【０１１９】
ステップＳ８０１において、スマートフォン側制御回路２１０は、スマートフォン２００の備える機能の一覧を表示部１６２に表示させる。図１２Ａに、このときの表示部１６２の表示の一例を模式図として示す。図１２Ａに示すように、その他アイコンの表示を示すアイコン６０１、外部カメラ機能を示すアイコン６０２、電子メール機能を示すアイコン６０３、電話機能を示すアイコン６０４等のスマートフォン２００の備える機能を示すアイコン群６００が表示部２６２に表示される。スマートフォン制御処理は、何れかの機能が選択されるまで待機し、何れかの機能が選択された後にステップＳ８０２へ進む。
【０１２０】
ステップＳ８０２において、スマートフォン側制御回路２１０は、例えばユーザ操作に応じた操作部２６１の出力に基づいて、外部カメラ機能を示すアイコン６０２が選択されたか否かを判定する。なお、図１２Ａに示す表示例では、アイコン６０２が選択された後に強調されて表示されている様子が示されている。ここで、外部カメラ機能は、例えばスマートフォン２００の外部にある情報機器の備える撮像機能について、スマートフォン２００が通信を介して制御して動作させる連携動作を行う機能である。スマートフォン制御処理は、外部カメラ機能が選択されたと判定された場合はステップＳ８０４へ進み、判定されなかった場合はステップＳ８０３へ進む。ステップＳ８０３において、スマートフォン側制御回路２１０は、ステップＳ８０２で選択されたと判定されたスマートフォン２００の備える機能（その他機能）を実行する。その他機能に係る処理の終了後、スマートフォン制御処理はステップＳ８０１へ戻る。
【０１２１】
ステップＳ８０４において、スマートフォン側制御回路２１０は、通信を介して連携動作を行う通信先カメラが指定済みであるか否かを判定する。通信先カメラに係る情報は、既に設定されている場合には、例えば記録回路１５０に記録されている。スマートフォン制御処理は、指定済みであると判定された場合はステップＳ８０６へ進み、判定されなかった場合はステップＳ８０５へ進む。ステップＳ８０５において、スマートフォン側制御回路２１０は、例えばユーザ操作に応じた操作部１６１の出力に基づいて、通信先カメラを指定し、指定された通信先カメラに係る情報を、例えば記録回路１５０に記録する。その後、スマートフォン制御処理は、ステップＳ８０６へ進む。
【０１２２】
ステップＳ８０６及びステップＳ８０７の処理は、ステップＳ２０１及びステップＳ２０２の処理とそれぞれ同様である。すなわち、ステップＳ８０６において、スマートフォン側制御回路２１０は、指定された通信先カメラへの通信の接続を第１の通信部１８１に開始させる。以下、指定された通信先カメラは本実施形態に係るカメラ１００であるとして説明を続ける。ステップＳ８０７において、スマートフォン側制御回路２１０は、ステップＳ８０６で接続が開始された第１の通信が確立したか否かを判定する。スマートフォン制御処理は、確立したと判定された場合はステップＳ８１０へ進み、判定されなかった場合はステップＳ８０８へ進む。
【０１２３】
ステップＳ８０８において、スマートフォン側制御回路２１０は、通信待ちである旨のユーザへの通知と所定時間経過後の警告とに係る処理を行う。なお、第１の通信の確立待ちの状態である旨の通知は、音声によって行われてもよいし、表示部１６２へ表示されて行われてもよい。本ステップの処理は、ステップＳ２０３と同様の処理である。ステップＳ８０９において、スマートフォン側制御回路２１０は、スマートフォン機能の一覧表示へ戻るか否かを判定する。スマートフォン制御処理は、戻ると判定された場合はステップＳ８０１へ戻り、判定されなかった場合はステップＳ８０４へ戻り、通信確立のための試行を続ける。
【０１２４】
ステップＳ８１０乃至ステップＳ８１２において、スマートフォン側制御回路２１０は、ステップＳ２０４乃至ステップＳ２０６と同様の処理を行う。すなわち、スマートフォン側制御回路２１０は、ステップＳ８１０において電源ＯＮ通信をカメラ１００との間で行い、ステップＳ８１１においてサムネイル要求通信をカメラ１００との間で行い、ステップＳ８１２において通信を介して取得したサムネイル画像を表示部２６２に表示させる。ここでは、主機能である撮影用の画像を取得するような制御（撮影モードの機能）が実行されずに、サブ機能である再生モードの機能が選択されており、不本意な情報取得によりプライバシーや著作権の問題等が生じないようにしているという工夫がある。なお、電源ＯＮ通信、サムネイル要求通信、サムネイル取得に係る通信は、例えば第１の通信を介して行われる。もちろん、これらの通信は、第２の通信で行われてもよいが、ここでは、サムネイル画像の情報量が少ないことを有効利用して、消費電力の少ない第１の通信で行われる場合を例として説明した。第１の通信は、第２の通信と比較して認証スピードが早い。そのため、例えばサムネイル画像の取得が第１の通信によって行われれば、ユーザは手軽にサムネイル画像を見ることができる。ただし、通信におけるセキュリティレベルを上げる場合には、第２の通信を利用したサムネイル画像の取得が行われて、サムネイル表示が行われてもよい。ここで、本実施形態に係るサムネイル画像は、第１の実施形態及び第１の変形例に係る情報リストに相当する。本実施形態に係るサムネイル表示の一例を図１２Ｂに模式図として示す。図１２Ｂに示すように、第１のサムネイル画像６１１及び第２のサムネイル画像６１２を含む各々の再生情報を示すサムネイル画像群６１０が、表示部１６２に表示されてユーザに提示される。なお、サムネイル表示の際に、戻るアイコン６３０を設けて、図１２Ａに示す状態に戻れるように構成されていてもよい。
【０１２５】
ステップＳ８１３において、スマートフォン側制御回路２１０は、カメラ１００との間で第２の通信が確立したか否かを判定する。スマートフォン制御処理は、第２の通信が確立したと判定された場合はステップＳ８１６へ進み、判定されなかった場合はステップＳ８１４へ進む。ステップＳ８１４において、スマートフォン側制御回路２１０は、第２の通信について、ステップＳ８０８と同様の処理を行う。ステップＳ８１５において、スマートフォン側制御回路２１０は、第２の通信を確立するための試行を止めて連携動作を終了するか否かを判定する。スマートフォン制御処理は、終了すると判定された場合はステップＳ８２６へ進み、終了しないと判定された場合はステップＳ８１３へ戻り、第２の通信を確立するための試行を継続する。なお、第２の通信は、例えばサムネイル取得のための通信の前に確立されてもよい。
【０１２６】
ステップＳ８１６の処理はステップＳ２０７の処理と、ステップＳ８１７及びステップＳ８１８の処理はステップＳ２０８の処理とそれぞれ同様である。すなわち、ステップＳ８１６において、スマートフォン側制御回路２１０は、再生画像が選択されたか否かを判定する。ここで、本実施形態に係る再生画像は、第１の実施形態及び第１の変形例に係る提示情報に相当する。スマートフォン制御処理は、ステップＳ８１６において、再生画像が選択されたと判定された場合はステップＳ８１７へ進み、判定されなかった場合はステップＳ８１９へ進む。例えば、第１のサムネイル画像６１１の示す再生画像が選択された場合の再生画像表示の一例を図１２Ｃに模式図として示す。図１２Ｃに示すように、再生画像６４０は、再生に適したサイズ、画質となるように画像処理が施された後に表示部２６２に表示される。ステップＳ８１７において、スマートフォン側制御回路２１０は、選択された再生画像を例えば表示部２６２に出力させて再生させる。ステップＳ８１８において、スマートフォン側制御回路２１０は、サムネイル表示及び再生画像の選択に戻るか否かの判定を行う。本判定では、例えばユーザが戻るアイコン６５０を選択した場合等に、サムネイル表示及び再生画像の選択に戻ると判定される。スマートフォン制御処理は、戻ると判定された場合はステップＳ８１１へ戻り、判定されなかった場合はステップＳ８１７及びステップＳ８１８の処理を繰り返す。
【０１２７】
なお、表示部１６２及び操作部１６１の機能の一部無効化が実行されている旨の通知、変位部１４０の機能の一部無効化が実行されている旨の警告等は、例えばステップＳ８１２において行われてもよい。
【０１２８】
なお、再生画像等の取得は、第２の通信を介して行われる。また、ステップＳ８１２で行われると説明したサムネイル画像の取得は、本ステップにおいて、第２の通信によって行われてもよい。
【０１２９】
ステップＳ８１９において、スマートフォン側制御回路２１０は、撮影モードへ移行するか否かの判定を行う。本ステップの処理は、ステップＳ２０９と同様である。なお、本実施形態に係る撮影モードは、第１の実施形態に係る記録モードに相当する。本判定では、例えば図１２Ｂに示すサムネイル表示の状態で、ユーザが撮影動作への移行を示す撮影アイコン６２０を選択した場合に、撮影モードへ移行すると判定される。ステップＳ８２０乃至ステップＳ８２４の処理は、ステップＳ２１０の処理と同様である。すなわち、スマートフォン側制御回路２１０は、ステップＳ８２０においてカメラ１００にライブビュー画像の取得を開始させ、また、通信を介してカメラ１００から取得したライブビュー画像を表示部２６２に表示させる。なお、ライブビュー表示用の画像は、第２の通信を介して取得される。本実施形態に係るライブビュー表示用の画像は、第１の実施形態及び第１の変形例に係るライブ情報に相当する。
【０１３０】
ここで、本実施形態に係るライブビュー表示が実行されている際の表示部２６２における表示の一例を図１２Ｄに示す。図１２Ｄに示すように、表示部２６２には、ライブビュー表示６６０と、調整用通信の実行を示すアイコン６７０と、撮影制御用通信の実行を示すアイコン６８０と、サムネイル表示に戻る処理を示すアイコン６９０とが表示される。
【０１３１】
スマートフォン側制御回路２１０は、例えばユーザ操作に応じた操作部２６１の出力に応じて、ステップＳ８２１において調整指示を含む調整用通信を第１の通信部２８１に行わせ、ステップＳ８２２においてカメラ１００に撮影を実行させるか否かの判定を行う。スマートフォン制御処理は、撮影を実行させると判定された場合はステップＳ８２３において記録指示を含む記録制御用通信を第１の通信部２８１に行わせた後にステップＳ８２４へ進み、判定されなかった場合はステップＳ８２４へ進む。ステップＳ８２４において、スマートフォン側制御回路２１０は、サムネイル表示及び再生画像の選択に戻るか否かの判定を行う。スマートフォン制御処理は、戻ると判定された場合はステップＳ８１１へ戻り、判定されなかった場合はステップＳ８２０へ戻り、ステップＳ８２０乃至ステップＳ８２４の処理をステップＳ８２４で戻ると判定されるまで繰り返す。
【０１３２】
なお、本実施形態に係るスマートフォン側制御回路２１０は、撮影に係る機能の一部無効化が行われている場合には、例えば図１２Ｄに示すようなライブビュー表示の際に、ユーザへ警告を行う。
【０１３３】
ステップＳ８２５において、スマートフォン側制御回路２１０は、連携動作を終了するか否かの判定を行う。スマートフォン制御処理は、終了すると判定された場合はステップＳ８２６へ進み、判定されなかった場合はステップＳ８１１へ戻る。ステップＳ８２６において、スマートフォン側制御回路２１０は、電源ＯＦＦ通信を第１の通信部２８１にカメラ１００との間で行わせる。本ステップの処理は、ステップＳ２１２の処理と同様である。その後、スマートフォン制御処理はステップＳ８０１へ戻る。
【０１３４】
＜情報記録システムの利点＞
本実施形態に係る情報記録システム１は、第１実施形態で得られる利点に加え、以下のような利点を有する。
【０１３５】
本実施形態に係るカメラ１００は、スマートフォン２００との間で通信が確立している場合には、状態取得部１１５が取得する状態情報に基づいて、表示部１６２及び操作部１６１の有する機能と、変位部１４０の有する機能とについて、一部無効化を実行するか否かの判定を行う。当該判定では、例えばカメラ１００が鞄の中にあると判定された場合に、機能の一部無効化を実行すると判定される。また、カメラ１００は、一部無効化を実行すると判定された場合に前記一部無効化によって前記再生モードの機能を制限する。この再生モードの機能は、記録された画像を表示可能とする機能であり、再生モードでは撮影等の情報取得が行われないことを表現したものである。したがってユーザは、カメラ１００の状態を確認して操作できる状況であれば、カメラ１００とスマートフォン２００との何れを操作しても連携動作を行うことが可能である。一方で、スマートフォン２００が鞄の中にある場合等、連携動作時にユーザがカメラ１００の状態を確認できない状況であれば一部無効化が実行されるため、ユーザは、誤動作や不要なバッテリ消費、鞄内での変位部１４０の動作による故障等の心配なく、外部からカメラ１００を利用できる。
【０１３６】
また、本実施形態に係るカメラ１００は、撮像部１３０に撮像させた画像の明るさ情報を取得して、明るさが所定の閾値未満である場合に鞄内であると判定する。当該所定の閾値は、予め設定された値が用いられてもよいし、スマートフォン２００の取得する明るさの値が用いられてもよい。このように、本実施形態に係るカメラ１００が、例えば鞄内であるか否か等、カメラ１００の配置されている環境を判断することで、ユーザは、カメラ１００の状態を確認する手間なく利用できる。
【０１３７】
また、本実施形態に係るカメラ１００は、撮像部１３０に撮像させた画像の明るさが所定の閾値未満である場合に、補助光を放射しながら再度明るさ情報を取得して、再度取得された明るさが特定の閾値以上である場合に鞄内であると判定してもよい。このような構成であっても、ユーザは、カメラ１００の状態を確認する手間なく利用できる。
【０１３８】
また、本実施形態に係るカメラ１００は、鞄内であると判定された場合に、変位部１４０の機能の一部を含む、実行するとカメラ１００の故障が生じ得る動作を禁止する。このとき、カメラ１００は、当該動作が禁止されていることをユーザへ警告するための制御信号やスマートフォン２００から当該動作の実行を指示できないようにするための制御信号をスマートフォン２００へ送信する。したがってユーザは、誤って操作してカメラ１００を故障させる心配なく、また、操作できない状況にあることを把握して、連携動作を利用できる。
【０１３９】
なお、本実施形態に係る変位部１４０は、例えばレンズ等であるとして説明をしたが、これに限らない。本実施形態に係るカメラ１００は、変位又は変形させて状態情報を取得するための専用の要素を変位部１４０として備えていてもよい。また、変位部１４０は、例えば歪センサ、温度センサ、輝度センサ等を備えていてもよい。
【０１４０】
［第２の実施形態の変形例］
本発明における第２の実施形態の変形例について説明する。ここでは、第２の実施形態との相違点について説明し、同一の部分については同一の符号を付してその説明を省略する。
【０１４１】
第２の実施形態では、画像の明るさを状態情報として取得し、当該状態情報に基づいてカメラ１００が鞄内か否かを判定するカメラ１００について説明した。一方で、本変形例では、カメラ１００の備える変位部１４０の取得する変位時ストレスを状態情報として取得するカメラ１００について説明する。
【０１４２】
本変形例に係る変位部１４０は、カメラ側制御回路１１０の制御によって可動できるように構成されている。また、変位部１４０は、変位時の負荷を検出できるように構成されている。また、検出された変位時の負荷の有無及び大きさは、変位時ストレスの有無及び大きさとして、状態取得部１１５へ出力される。
【０１４３】
ここで、カメラ制御処理のステップＳ４０９で行われる状態情報取得処理の別の一例をフローチャートとして図１３に示し、これを参照して情報記録システム１の動作について説明をする。
【０１４４】
ステップＳ９０１において、カメラ側制御回路１１０は、ここまでに取得された操作結果が、カメラ１００の備える操作部１６１と第１の通信部１８１との何れから取得されたかを判定する。ステップＳ９０２において、カメラ側制御回路１１０は、無線通信等の通信を介してカメラ１００の操作が行われる連携動作が実行されているか否かを判定する。状態情報取得処理は、無線通信によって連携動作が実行されていると判定された場合はステップＳ９０３へ進み、判定されなかった場合はステップＳ９０６へ進む。
【０１４５】
ステップＳ９０３において、カメラ側制御回路１１０は、変位部１４０を複数の異なるパターンで変形させる。なお、変位部１４０の変形パターンは、予め設定されて記録回路１５０等に記録されている。ステップＳ９０４において、カメラ側制御回路１１０は、変位部１４０が変形したときに所定の閾値以上の大きさの負荷（変位時ストレス）を検出したか否かを判定する。状態情報取得処理は、変位時ストレスが検出されたと判定された場合はステップＳ９０５へ進み、判定されなかった場合はステップＳ９０６へ進む。
【０１４６】
ステップＳ９０５において、カメラ側制御回路１１０は、カメラ１００は鞄内であるとの状態情報を状態取得部１１５へ出力する。その後、状態情報取得処理は終了する。ステップＳ９０６において、カメラ側制御回路１１０は、カメラ１００は鞄内ではないとの状態情報を状態取得部１１５へ出力する。その後、状態情報取得処理は終了する。
【０１４７】
このように、本変形例に係るカメラ１００は、変位部１４０の動作時に変位部１４０に加わる負荷（変位時ストレス）の大きさが所定の閾値以上である場合に鞄内であると判定する。この場合でも、第２の実施形態と同様の利点を有する。
【０１４８】
＜変形例＞
情報記録システム１には、状態情報取得処理の判定結果、機能の一部無効化の実施状況、ユーザの使用頻度等を含む情報記録システム１の使い方、カメラ１００の設定等を記録して学習して、ユーザに、ユーザが設定する各種条件、パラメータ等を提示するような人工知能（ＡＩ）が含まれていてもよい。また、ＡＩは、例えばＤＳＰ等に構築されて情報記録システム１の内部にあってもよいし、インターネット上に構築されて情報記録システム１の外部にあってもよい。このようなＡＩを含む情報記録システム１は、例えば、過去のカメラ１００の使用状況や機能制限の状況を学習させることによって、より状況に適した連携動作が可能となることは言うまでもない。
【０１４９】
本技術は、例えば監視カメラや内視鏡のように、撮像部がユーザの手元にない状態で使用され得る撮像装置に対しても有効である。本技術を適用すれば、ユーザは、不要な録画等の動作を生じさせることなく、情報端末を操作して監視カメラにアクセスして、監視カメラの記録映像を確認できる。また、本技術を適用すれば、内視鏡カメラの位置に応じてその時点で操作可能な機能を提示し、また、禁止されている操作を受け付けない内視鏡システムも実現し得る。同様に、本技術は、顕微鏡などの科学用、産業用機器にも適応可能である。例えば、本技術は、遠隔で使用されている時に、取得し得る情報が適当でない状況、情報取得が適当でないタイミングがあり得る情報取得機器に対して広く適応が可能である。この場合ユーザは、情報端末を操作することによって内視鏡カメラ等にアクセスして、内視鏡カメラ等の撮影画像等について誤動作を生じさせることなく確認できる。
【０１５０】
なお、ここまで、情報取得機器に記録されたコンテンツ（取得された情報）の確認が行われる場合を主に説明したが、これに限らない。例えば、情報取得機器で再生される情報は必ずしも、再生モードの機能が実行される機器で取得されて記録されたものでなくてもよい。
【０１５１】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【０１５２】
例えば、情報記録装置は、情報を取得する情報取得モード又は情報を取得して記録する情報取得モードと記録されている情報を再生可能とする再生モードとの機能を有し、通信によって外部機器から操作情報を取得し、前記操作情報に基づいて動作する連携動作が可能な情報記録装置であって、前記外部機器との間で通信を行う通信部と、前記通信により前記連携動作で起動する時に実行されるモードとして、前記再生モードを選択するモード制御部とを備える構成であっても、上述の情報記録装置１０又はカメラ１００と同様の効果を得られ、発明として抽出され得る。
【符号の説明】
【０１５３】
１…情報記録システム、１０…情報記録装置、１１…内部制御回路、１１ａ…モード制御部、１２…情報取得部、１３…情報再生部、１４…情報記録部、１５…情報提示部、１６…通信部、１７…操作部、２０…外部機器、２１…外部制御回路、２１ａ…モード制御部、２５…情報提示部、２６…通信部、２７…操作部、１００…カメラ、１１０…カメラ側制御回路、１１１…モード制御部、１１２…機能制限部、１１３…電源制御部、１１４…通知制御部、１１５…状態取得部、１１６…撮影制御部、１１７…記録制御部、１２０…画像処理回路、１２１…画像解析部、１２２…画像処理部、１３０…撮像部、１４０…変位部、１５０…記録回路、１６０…入出力装置、１６１…操作部、１６２…表示部、１７０…時計部、１８０…カメラ側通信装置、１８１…第１の通信部、１８２…第２の通信部、２００…スマートフォン、２１０…スマートフォン側制御回路、２１１…通信制御部、２６１…操作部、２６２…表示部、２８０…スマートフォン側通信装置、２８１…第１の通信部、２８２…第２の通信部。  
【図１Ａ】
2018191209.tif 000003
【図１Ｂ】
2018191209.tif 000004
【図２】
2018191209.tif 000005
【図３】
2018191209.tif 000006
【図４】
2018191209.tif 000007
【図５】
2018191209.tif 000008
【図６】
2018191209.tif 000009
【図７】
2018191209.tif 000010
【図８】
2018191209.tif 000011
【図９】
2018191209.tif 000012
【図１０】
2018191209.tif 000013
【図１１Ａ】
2018191209.tif 000014
【図１１Ｂ】
2018191209.tif 000015
【図１２Ａ】
2018191209.tif 000016
【図１２Ｂ】
2018191209.tif 000017
【図１２Ｃ】
2018191209.tif 000018
【図１２Ｄ】
2018191209.tif 000019
【図１３】
2018191209.tif 000020